(57)【要約】【課題】放射線画像等の情報を表示可能な可搬型放射線画像形成装置を、取扱性や可搬性の低下を招くことなく、最小限の構成変更で実現する。【解決手段】電子カセッテの筐体70のうち被照射面72と反対側の面には、収納ケース121と、平板状で画像等を表示可能な表示面が設けられ、収納ケース121に対してスライド移動可能に収納ケース121に支持された表示部120と、を備えた表示部ユニット119が取付けられている。表示部120は、収納ケース121内から引き出す方向(矢印Ｄ方向)へスライド移動させる展開操作によって収納ケース121（筐体70外）に展開され、収納ケース121内へ挿入する方向(矢印Ｅ方向)へスライド移動させる収納操作によって収納ケース121内に収納される。表示部120の表示面には、撮影された放射線画像や過去に撮影された関連する放射線画像等が表示される。【選択図】図６
2010054974.tif 000002
【特許請求の範囲】
【請求項１】
被写体を透過して筐体の被照射面に照射された放射線を検出し、照射放射線量の分布を表す放射線画像のデータを出力する画像出力手段と、
前記画像出力手段から出力された放射線画像のデータを記憶する記憶手段と、
収納ケースと、前記収納ケース内に収納可能でかつ前記収納ケース外に展開可能な表示部と、が一体化されて成り、前記表示部の前記収納ケース外への展開に伴い前記表示部が筐体外へ展開するように前記筐体に取付けられた表示部ユニットと、
前記記憶手段にデータが記憶されている放射線画像を含む任意の情報を前記表示部ユニットの前記表示部に表示させる表示制御手段と、
を含む可搬型放射線画像形成装置。
【請求項２】
前記筐体のうち前記被照射面と接する側面には、前記筐体を移動させる際に把持するための取っ手部が設けられており、
前記表示部ユニットは、前記収納ケース外への前記表示部の展開方向が、前記筐体外のうち前記取っ手部が設けられている側となる向きで前記筐体に取付けられている請求項１記載の可搬型放射線画像形成装置。
【請求項３】
前記表示部ユニットの前記表示部には、前記表示部が前記収納ケース内に収納された状態で、前記収納ケース外への前記表示部の展開方向へ前記収納ケースから突出する把持部が取付けられている請求項１又は請求項２記載の可搬型放射線画像形成装置。
【請求項４】
前記把持部は、前記筐体を移動させる際に把持するための取っ手として利用可能に構成されている請求項３記載の可搬型放射線画像形成装置。
【請求項５】
前記表示部ユニットは、前記筐体のうち、前記被照射面側から見て前記画像出力手段の背面側、又は、前記画像出力手段の側方に取付けられている請求項１〜請求項４の何れか１項記載の可搬性放射線画像変換装置。
【請求項６】
前記表示部ユニットは、前記表示部が平板状で前記収納ケースに対してスライド移動可能に前記収納ケースに支持されており、前記表示部を前記収納ケース内から引き出す方向へスライド移動させる展開操作によって前記表示部が前記収納ケース外に展開され、前記表示部を前記収納ケース内へ挿入する方向へスライド移動させる収納操作によって前記表示部が前記収納ケース内に収納される請求項１〜請求項５の何れか１項記載の可搬型放射線画像形成装置。
【請求項７】
前記表示部ユニットは、
前記表示部が前記収納ケース内から引き出された状態で、前記表示部の端部を前記収納ケース内から引き出す方向に直交する軸回りに回動可能に支持する支持機構と、
前記表示部が前記収納ケース内から引き出された状態で、前記表示部を前記軸回りに回動させる回動手段と、
を更に備えている請求項６記載の可搬型放射線画像形成装置。
【請求項８】
前記表示部ユニットは、前記表示部が平板状で前記収納ケースに対して回動可能に一端部が前記収納ケースに支持されており、前記表示部を前記収納ケース内から引き出す方向へ回動させる展開操作によって前記表示部が前記収納ケース外に展開され、前記表示部を前記収納ケース内へ挿入する方向へ回動させる収納操作によって前記表示部が前記収納ケース内に収納される請求項１〜請求項５の何れか１項記載の可搬型放射線画像形成装置。
【請求項９】
前記表示部ユニットは、前記表示部が可撓性を有するシート状とされ、前記収納ケース内に設けられ前記表示部の一端部が取付けられた巻取軸を備え、前記巻取軸に層状に巻き取られた状態の前記表示部を前記収納ケース内から引き出す方向へ引張る展開操作によって前記表示部が前記収納ケース外に展開され、前記巻取軸が前記表示部を巻き取る方向に回転されることで前記表示部が前記収納ケース内に収納される請求項１〜請求項４の何れか１項記載の可搬型放射線画像形成装置。
【請求項１０】
前記表示部ユニットは、前記表示部が、各々平板状の複数の部分表示部がおよそ面一となるように展開可能かつ折り畳み可能に連結されて成ると共に、前記複数の部分表示部が折り畳まれた状態で前記収納ケース内に収納可能とされ、前記複数の部分表示部が折り畳まれた状態の前記表示部を前記収納ケース外へ引き出す操作が行われた後に、前記複数の部分表示部を展開させる所定方向へ何れか１つの部分表示部を引き出す展開操作が行われることで、前記複数の部分表示部から成る表示部が前記収納ケース外に展開され、前記複数の部分表示部を折り畳む折り畳み操作が行われた後に、前記複数の部分表示部が折り畳まれた状態の前記表示部を前記収納ケース内に収納させる収納操作が行われることで、前記表示部が前記収納ケース内に収納される請求項１〜請求項４の何れか１項記載の可搬型放射線画像形成装置。
【請求項１１】
前記複数の部分表示部は、対向する第１及び第２の辺が第１の方向と平行で、かつ対向する第３及び第４の辺が前記第１の方向と直交する第２の方向に対して所定角度傾斜された四辺形状とされ、前記表示部は、個々の部分表示部の前記第１の辺が他の部分表示部の前記第２の辺と連結され、前記第３の辺が他の部分表示部の前記第４の辺と連結されるように、前記複数の部分表示部がマトリクス状に配列・連結されて構成されている請求項１０記載の可搬型放射線画像形成装置。
【請求項１２】
前記表示部は、前記複数の部分表示部が蛇腹状又はミウラ折り状に折り畳み可能に配列・連結されている請求項１０記載の可搬型放射線画像形成装置。
【請求項１３】
前記表示部ユニットは、前記筐体のうち前記被照射面側から見て前記画像出力手段の背面側に取付けられており、前記画像出力手段と前記表示部ユニットの間にはシート状の放射線吸収部材が設けられている請求項１〜請求項１２の何れか１項記載の可搬型放射線画像形成装置。
【発明の詳細な説明】
【技術分野】
【０００１】
本発明は可搬型放射線画像形成装置に係り、特に、被写体を透過して筐体の被照射面に照射された放射線を検出し、照射放射線量の分布を表す放射線画像のデータを出力する画像出力手段を備えた可搬型放射線画像形成装置に関する。
【背景技術】
【０００２】
近年、ＴＦＴ(Thin Film Transistor)アクティブマトリクス基板上に放射線感応層を配置し、照射されたＸ線等の放射線を検出し、照射放射線量の分布を表す放射線画像のデータへ直接変換して出力するＦＰＤ(Flat Panel Detector)が実用化されており、このＦＰＤ等を内蔵し、ＦＰＤから出力される放射線画像データを記憶する可搬型放射線画像形成装置（以下、電子カセッテともいう）も実用化されている。電子カセッテは可搬性に優れているのでストレッチャーやベッドに載せたまま患者を撮影できると共に、電子カセッテの位置を変更することで撮影部位の調整も容易であるため、動けない患者を撮影する場合にも柔軟に対処することができる。
【０００３】
最近、電子カセッテに、撮影した放射線画像をその場で確認可能な表示部を付加することが提案されており、例えば特許文献１には、患者を透過した放射線を検出する検出器を有する放射線検出用カセッテの背面側に、液晶パネル等の表示装置を配置した構成が開示されている。
【０００４】
また特許文献２には、上カバー、Ｘ線グリッド、薄型平面検出器、デジタルＸ線情報記憶部、薄型の液晶表示器、及び、下カバーを積層し、液晶表示器に表示したＸ線映像を背面側から視認可能な構成のＸ線診断装置が開示されている。
【０００５】
また特許文献３には、画像を表示可能な参照表示部がデジタル画像検出器のハウジング内に取付けられた構成が図２に、参照表示部がハウジングに対して着脱可能に設けられ、ハウジングの壁に取付けられた電気的インタフェースと機械的かつ電気的に結合される構成が図３に、参照表示部がハウジングと別個に設けられデジタル画像検出器と無線通信を行う構成が図４に各々開示されている。
【０００６】
更に特許文献４には、Ｘ線透過率の高い物質で作られた画像表示装置を、支持機構により被験者の体表面に隣接する位置に固定した構成が開示されている。
【０００７】
また特許文献５には、画像表示部、操作部及び無線通信を行う通信手段を備えた制御装置を、Ｘ線画像撮影装置と独立して設け、載置角度変更自在の脚部により、操作者の扱い易い場所に配置可能とした構成が開示されている。
【特許文献１】特開２０００−２６２５０４号公報
【特許文献２】特開平７−２４６１９９号公報
【特許文献３】特開２００６−１５００７８号公報
【特許文献４】特開２００４−９７５４３号公報
【特許文献５】特開２００４−９７６３５号公報
【発明の開示】
【発明が解決しようとする課題】
【０００８】
しかしながら、例えば臥位での撮影は、ベッドの上に横たわっている患者とベッドの間に、筐体の被照射面側を上にした電子カセッテを挿入配置した後に、上方から放射線を照射することによって成されるのに対し、特許文献１,２に記載の技術では電子カセッテの筐体の背面側（被照射面と反対側）に表示部が配置されているため、撮影した放射線画像を表示部に表示させて確認する際には、電子カセッテをベッドと患者との間から一旦抜き出し、表示部が上を向くように電子カセッテの天地を反転させる必要がある。また、撮影を再度行う場合は、筐体の被照射面側が上を向くように電子カセッテの天地を再度反転させ、ベッドと患者との間に再び挿入配置する必要があり、取り扱いが非常に煩雑である。また、既存の電子カセッテに上記技術を適用する場合、表示部を内蔵可能なように筐体の形状を変更する必要が生ずる。
【０００９】
また、特許文献３の図２に示された構成では、電子カセッテの筐体の被照射面側に表示部が配置されているので、撮影した放射線画像を表示部に表示させて確認する際に、電子カセッテを抜き差ししたり天地を反転させたりする必要はないものの、撮影部位によっては表示部の表示面が患者の体に接してしまい、放射線画像の確認が困難になる。また、表示部は電子カセッテの筐体の被照射面内のうち放射線検出領域の外に設ける必要があるので、放射線画像の確実な確認や当該確認における精度確保を目的として表示部の表示面を大サイズ化すると、それに伴って電子カセッテの筐体が大型化し、電子カセッテの取扱性が大幅に低下するという問題もある。更に、既存の電子カセッテに上記技術を適用する場合にも、表示部を内蔵可能なように筐体の形状を変更する必要が生ずる。
【００１０】
また、特許文献３の図３に示された構成は、特許文献３の図２に示された構成に対して表示部が電子カセッテ本体に対して着脱可能とされているものの、ハウジングの凹所内に挿入した状態での表示部の位置は特許文献３の図２に示された構成と同様であり、撮影部位によっては表示部の表示面が患者の体に接してしまい、放射線画像の確認が困難になると共に、表示部の表示面を大サイズ化すると、それに伴って電子カセッテの筐体が大型化し、電子カセッテの取扱性が大幅に低下するという問題がある。更に、既存の電子カセッテに上記技術を適用する場合にも、表示部を装着可能なように筐体の形状を変更する必要が生ずる。
【００１１】
更に、特許文献３の図４では、表示部を電子カセッテと独立した別筐体とし、電子カセッテと無線通信を行う構成としているが、電子カセッテと独立した別筐体の表示部を、表示された画像等を容易に視認可能な向きで、電子カセッテに近接した位置に位置している状態で維持させるためには、次に述べる特許文献４に記載の技術と同様に何らかの支持機構が必要となる。そして、表示部を支持機構に支持させるようにした場合、電子カセッテ本体と比較して移動容易性が低下するので、電子カセッテの可搬性が損なわれるという問題がある。また、電子カセッテの移動先において、電子カセッテに近接した位置に支持機構を設置できないことで、電子カセッテの位置と表示部の位置が離間してしまう可能性もあり、その場合、表示部を設ける利点が損なわれるという問題もある。
【００１２】
また、電子カセッテは可搬性を有し、同一の電子カセッテを臥位での撮影にも立位での撮影にも異なる撮影室内での撮影にも使用可能という特長を備えているが、これに対して特許文献４に記載の技術では、表示部を電子カセッテと別筐体とし、支持機構によって表示部を被験者の体表面に隣接する位置に固定しているので、電子カセッテ本体と比較して表示部の移動は容易ではなく、特許文献３の図４に示されている構成と同様に電子カセッテの可搬性が損なわれるという問題がある。また、電子カセッテの移動先において、電子カセッテに近接した位置に支持機構を設置できないことで、電子カセッテの位置と表示部の位置が離間してしまう可能性もあり、その場合、表示部を設ける利点が損なわれるという問題もある。
【００１３】
また、特許文献５に記載の技術では、表示部を電子カセッテと別筐体とし、載置角度変更自在の脚部によって表示部を電子カセッテに連結しているので、脚部の届く範囲内で表示部を自由に移動できるものの、電子カセッテを移動させる際に脚部及び表示部が電子カセッテ本体と一体に移動するので、取扱性が悪いという問題がある。
【００１４】
本発明は上記事実を考慮して成されたもので、取扱性や可搬性の低下を招くことなく、最小限の構成の変更で放射線画像等の情報を表示可能な可搬型放射線画像形成装置を得ることが目的である。
【課題を解決するための手段】
【００１５】
上記目的を達成するために請求項１記載の発明に係る可搬型放射線画像形成装置は、被写体を透過して筐体の被照射面に照射された放射線を検出し、照射放射線量の分布を表す放射線画像のデータを出力する画像出力手段と、前記画像出力手段から出力された放射線画像のデータを記憶する記憶手段と、収納ケースと、前記収納ケース内に収納可能でかつ前記収納ケース外に展開可能な表示部と、が一体化されて成り、前記表示部の前記収納ケース外への展開に伴い前記表示部が筐体外へ展開するように前記筐体に取付けられた表示部ユニットと、前記記憶手段にデータが記憶されている放射線画像を含む任意の情報を前記表示部ユニットの前記表示部に表示させる表示制御手段と、を含んで構成されている。
【００１６】
請求項１記載の発明に係る可搬型放射線画像形成装置には、被写体を透過して筐体の被照射面に照射された放射線を検出し、照射放射線量の分布を表す放射線画像のデータを出力する画像出力手段が設けられており、画像出力手段から出力された放射線画像のデータは記憶手段に記憶される。また請求項１記載の発明は、収納ケースと、収納ケース内に収納可能でかつ収納ケース外に展開可能な表示部と、が一体化されて成る表示部ユニットを備えており、この表示部ユニットは、表示部の収納ケース外への展開に伴い表示部が筐体外(例えば被照射面側から見て筐体の外側の空間)へ展開するように筐体に取付けられている。そして表示制御手段は、記憶手段にデータが記憶されている放射線画像を含む任意の情報を表示部ユニットの表示部に表示させる。
【００１７】
このように、請求項１記載の発明では、表示部ユニットを筐体に取付けることで、放射線画像等の情報を表示可能な可搬型放射線画像形成装置を得ているので、既存の可搬型放射線画像形成装置に請求項１記載の発明を適用する際にも、既存の可搬型放射線画像形成装置の構成（例えば筐体の形状等）を変更する必要は無く、放射線画像等の情報を表示可能な可搬型放射線画像形成装置を最小限の構成変更で実現することができる。
【００１８】
また、表示部ユニットは収納ケースと表示部が一体化されて成り、かつ筐体に取付けられているので、表示部ユニットの表示部を収納ケース外に展開した場合にも、表示部は収納ケースを介して筐体に支持されている状態で維持される。これにより、可搬型放射線画像形成装置を移動させた際にも、表示部を支持するための支持機構を用いることなく、筐体に対して表示部ユニットの表示部を一定の位置に位置させることができる。また、表示部ユニットは表示部が収納ケース内に収納可能とされているので、可搬型放射線画像形成装置の移動時には、表示部ユニットの表示部を収納ケース内に収納することで表示部ユニットの表示部が移動の障害となることも防止できる。従って、表示部ユニットを設けたことで可搬型放射線画像形成装置の可搬性が低下することを回避できる。
【００１９】
また、表示部ユニットの表示部は収納ケース外に展開可能とされており、表示部ユニットは、表示部の収納ケース外への展開に伴い表示部が筐体外へ展開するように筐体に取付けられているので、表示部ユニットの表示部を収納ケース外に展開することで、当該表示部が筐体外へ展開することになり、表示部が被写体に接することで表示部に表示している情報の視認が困難となることも防止することができる。従って、請求項１記載の発明によれば、放射線画像等の情報を表示可能な可搬型放射線画像形成装置を、取扱性や可搬性の低下を招くことなく、最小限の構成変更で実現することができる。
【００２０】
なお、請求項１記載の発明において、本発明に係る可搬型放射線画像形成装置の筐体のうち被照射面と接する側面に、筐体を移動させる際に把持するための取っ手部が設けられている場合、表示部ユニットは、例えば請求項２に記載したように、収納ケース外への表示部の展開方向が、筐体外のうち取っ手部が設けられている側となる向きで筐体に取付けられていることが好ましい。筐体の側面に取っ手部が設けられている場合、可搬型放射線画像形成装置の移動や位置調整は取っ手部を把持して行われるので、移動や位置調整を経た可搬型放射線画像形成装置は、筐体のうち取っ手部が設けられている側面が可搬型放射線画像形成装置の移動又は位置調整を行った作業者側を向き、かつ前記側面の外側の空間が空いた状態（他の物体が存在しない状態）となる。請求項２記載の発明はこれを利用し、収納ケース外への表示部の展開方向が、筐体外のうち取っ手部が設けられている側となる向きで筐体に取付けられているので、作業者が可搬型放射線画像形成装置の移動又は位置調整を行った後に、表示部ユニットの表示部を収納ケース外（筐体外）へ展開させる作業を容易に行うことができ、当該作業の作業性を向上させることができる。
【００２１】
また、請求項１又は請求項２に記載の発明において、表示部ユニットの表示部には、例えば請求項３に記載したように、表示部が収納ケース内に収納された状態で、収納ケース外への表示部の展開方向へ収納ケースから突出する把持部が取付けられていることが好ましい。これにより、把持部を把持することで、収納ケース内に収納された状態の表示部ユニットの表示部を収納ケース外（筐体外）へ展開させる作業を容易に行うことができ、当該作業の作業性を向上させることができる。
【００２２】
また、請求項３記載の発明に係る把持部は、例えば請求項４に記載したように、筐体を移動させる際に把持するための取っ手として利用可能に構成されていてもよい。これにより、上記の把持部を、表示部ユニットの表示部を収納ケース外（筐体外）へ展開させる場合に把持するのみならず、可搬型放射線画像形成装置の移動や位置調整を行う際にも利用することができ、請求項２に記載の取っ手部を省略することで部品点数を減少させることも可能となる。
【００２３】
また、請求項１〜請求項４の何れかに記載の発明において、表示部ユニットは、例えば請求項５に記載したように、筐体のうち、被照射面側から見て画像出力手段の背面側、又は、画像出力手段の側方に取付けることができる。
【００２４】
また、請求項１〜請求項５の何れかに記載の発明において、表示部ユニットは、例えば請求項６に記載したように、表示部が平板状で収納ケースに対してスライド移動可能に収納ケースに支持されており、表示部を収納ケース内から引き出す方向へスライド移動させる展開操作によって表示部が収納ケース外に展開され、表示部を収納ケース内へ挿入する方向へスライド移動させる収納操作によって表示部が収納ケース内に収納されるように構成することができる。可搬型放射線画像形成装置の筐体は一般に扁平な箱形状であるが、請求項６記載の発明では、表示部がスライド移動可能であるので、表示部の外形を平板状でかつ筐体と同様の矩形状とすることができ、有効表示面積の大きな表示デバイスとして、表示面が矩形状の一般的な表示デバイス（例えばＬＣＤ等）を表示部に組み込むことができると共に、表示部をスライド移動可能に支持する機構も比較的簡単であるので、表示部ユニットの構成を簡単にすることができる。なお、請求項６記載の発明では、収納ケースを扁平な形状とすることができるので、筐体への表示部ユニットの取付位置は被照射面側から見て画像出力手段の背面側が好適である。
【００２５】
また、請求項６記載の発明において、表示部ユニットは、例えば請求項７に記載したように、表示部が収納ケース内から引き出された状態で、表示部の端部を収納ケース内から引き出す方向に直交する軸回りに回動可能に支持する支持機構と、表示部が収納ケース内から引き出された状態で、表示部を前記軸回りに回動させる回動手段と、を更に備えた構成としてもよい。請求項７記載の発明では、上記の支持機構及び回動手段が設けられていることで構成が多少複雑化するものの、表示部を収納ケース内から引き出す方向へスライド移動させ、表示部が収納ケース内から引き出された状態になると、表示部が回動手段によって前記軸回りに回動するので、収納ケースの側方に位置する作業者から見て表示部の表示面がおよそ正対する所定位置で上記の回動を停止させるストッパ等を設けることで、収納ケース内から引き出された表示部の向きを、表示面に表示された情報の視認がより容易な向きへ変化させることができ、表示部に表示された情報の視認性を向上させることができる。
【００２６】
また、請求項１〜請求項５の何れかに記載の発明において、表示部ユニットは、例えば請求項８に記載したように、表示部が平板状で収納ケースに対して回動可能に一端部が収納ケースに支持されており、表示部を収納ケース内から引き出す方向へ回動させる展開操作によって表示部が収納ケース外に展開され、表示部を収納ケース内へ挿入する方向へ回動させる収納操作によって表示部が前記収納ケース内に収納される構成としてもよい。請求項８記載の発明では、表示部の外形が、表示部の回動によって表示部の展開・収納が可能な形状（例えば平板状でかつ円弧状）に限られるので、表示面が矩形状の一般的な表示デバイスを組み込むと有効表示面積が小さくなり易いという欠点があるものの、表示部のうち、回動可能に収納ケースに支持された一端部からなるべく離間した箇所を把持することで、表示部の展開・収納を片手で容易に行うことができる。なお、請求項８記載の発明においても、収納ケースを扁平な形状とすることができるので、筐体への表示部ユニットの取付位置は被照射面側から見て画像出力手段の背面側が好適である。
【００２７】
また、請求項１〜請求項４の何れかに記載の発明において、表示部ユニットは、例えば請求項９にも記載したように、表示部が可撓性を有するシート状とされ、収納ケース内に設けられ表示部の一端部が取付けられた巻取軸を備え、巻取軸に層状に巻き取られた状態の表示部を収納ケース内から引き出す方向へ引張る展開操作によって表示部が収納ケース外に展開され、巻取軸が表示部を巻き取る方向に回転されることで表示部が前記収納ケース内に収納される構成としてもよい。請求項９記載の発明では、表示部が可撓性を有している必要があり、表示部に適用可能な表示デバイスが電子ペーパ等に限られるが、表示部の表示面のサイズに比して小さなスペースに表示部を収納することができ、表示部の表示面を大サイズ化することが容易になる。
【００２８】
また、請求項１〜請求項４の何れかに記載の発明において、表示部ユニットは、例えば請求項１０にも記載したように、表示部が、各々平板状の複数の部分表示部がおよそ面一となるように展開可能かつ折り畳み可能に連結されて成ると共に、複数の部分表示部が折り畳まれた状態で収納ケース内に収納可能とされ、複数の部分表示部が折り畳まれた状態の表示部を収納ケース外へ引き出す操作が行われた後に、複数の部分表示部を展開させる所定方向へ何れか１つの部分表示部を引き出す展開操作が行われることで、複数の部分表示部から成る表示部が収納ケース外に展開され、複数の部分表示部を折り畳む折り畳み操作が行われた後に、複数の部分表示部が折り畳まれた状態の表示部を収納ケース内に収納させる収納操作が行われることで、表示部が収納ケース内に収納される構成としてもよい。請求項１０記載の発明は、複数の部分表示部がおよそ面一となるように展開可能かつ折り畳み可能に連結されて表示部が構成されているので、個々の部分表示部の連結部分には画像を表示できないという欠点があるものの、請求項９記載の発明と同様に、表示部の表示面のサイズに比して小さなスペースに表示部を収納することができ、表示部の表示面を大サイズ化することが容易になる。
【００２９】
また、請求項１０記載の発明において、複数の部分表示部は、例えば請求項１１に記載したように、対向する第１及び第２の辺が第１の方向と平行で、かつ対向する第３及び第４の辺が第１の方向と直交する第２の方向に対して所定角度傾斜された四辺形状とされ、表示部は、個々の部分表示部の第１の辺が他の部分表示部の第２の辺と連結され、第３の辺が他の部分表示部の第４の辺と連結されるように、複数の部分表示部がマトリクス状に配列・連結されて構成されていてもよい。上記構成は、単一の表示部の表示面を、所謂ミウラ折りに倣って複数の部分表示部に分割したことに相当し、個々の部分表示部の形状が非長方形であるので構成が複雑になるものの、表示部の表示面を大サイズ化した場合にも複数の部分表示部の展開・折り畳みを容易に行うことができる。
【００３０】
また、請求項１０記載の発明において、表示部は、例えば請求項１２に記載したように、複数の部分表示部が蛇腹状又はミウラ折り状に折り畳み可能に配列・連結されて構成することができる。
【００３１】
また、請求項１〜請求項１２の何れかに記載の発明において、表示部ユニットが、筐体のうち被照射面側から見て画像出力手段の背面側に取付けられている場合、例えば請求項１３に記載したように、画像出力手段と表示部ユニットの間（好ましくは、被照射面側から見て画像出力手段の背面側かつ画像出力手段に隣接した位置）にシート状の放射線吸収部材を設けることが好ましい。これにより、可搬型放射線画像形成装置の被照射面に照射され、画像出力手段を透過した放射線が放射線吸収部材によって吸収されることで、被照射面の裏面から放射・散乱される放射線を低減できると共に、表示部ユニットの収納ケース内に収納されている状態の表示部が放射線によって劣化することを抑制することができる。
【発明の効果】
【００３２】
以上説明したように本発明は、被写体を透過して筐体の被照射面に照射された放射線を検出し、照射放射線量の分布を表す放射線画像のデータを出力する画像出力手段を備えた可搬型放射線画像形成装置の筐体に、収納ケースと、収納ケース内に収納可能でかつ収納ケース外に展開可能な表示部と、が一体化されて成る表示部ユニットを、表示部の収納ケース外への展開に伴い表示部が筐体外へ展開するように取付けたので、放射線画像等の情報を表示可能な可搬型放射線画像形成装置を、取扱性や可搬性の低下を招くことなく、最小限の構成変更で実現できる、という優れた効果を有する。
【発明を実施するための最良の形態】
【００３３】
以下、図面を参照して本発明の実施形態の一例を詳細に説明する。
【００３４】
〔第１実施形態〕
図１には本実施形態に係る放射線情報システム１０(以下、「ＲＩＳ１０」(ＲＩＳ：(Radiology Information System)という)が示されている。ＲＩＳ１０は病院内の放射線科部門における診療予約や診断記録等の情報管理を行うためのシステムであり、複数台の端末装置１２、ＲＩＳサーバ１４、病院内の個々の放射線撮影室（或いは手術室）に設置された放射線画像撮影システム１８（のコンソール２６）が、有線又は無線のＬＡＮ(Local Area Network)から成る病院内ネットワーク１６に各々接続されて構成されている。なお、ＲＩＳ１０は同じ病院内に設けられた病院情報システム(ＨＩＳ：Hospital Information System)の一部を構成しており、病院内ネットワーク１６にはＨＩＳ全体を管理するＨＩＳサーバ（図示省略）も接続されている。
【００３５】
個々の端末装置１２はパーソナル・コンピュータ(ＰＣ)等で構成され、医師や放射線技師によって操作される。医師や放射線技師は端末装置１２を介して診断情報や施設予約の入力・閲覧を行い、放射線画像の撮影依頼（撮影予約）も端末装置１２を介して入力される。また、ＲＩＳサーバ１４はＲＩＳデータベース（ＤＢ）を記憶する記憶部１４Ａを含んで構成されたコンピュータであり、ＲＩＳデータベースには、患者の属性情報（例えば患者の氏名、性別、生年月日、年齢、血液型、患者ＩＤ等）や、病歴、受診歴、過去に撮影した放射線画像のデータ等の患者に関する他の情報、個々の放射線画像撮影システム１８の電子カセッテ２２（後述）に関する情報（例えば識別番号、型式、サイズ、感度、使用可能な撮影部位（対応可能な撮影依頼の内容）、使用開始年月日、使用回数等）が登録されている。ＲＩＳサーバ１４はＲＩＳデータベースに登録されている情報に基づいて、ＲＩＳ１０全体を管理する処理（例えば各端末装置１２からの撮影依頼を受け付け、個々の放射線画像撮影システム１８における放射線画像の撮影スケジュールを管理する処理）を行う。
【００３６】
個々の放射線画像撮影システム１８は、ＲＩＳサーバ１４から指示された放射線画像の撮影を、医師や放射線技師の操作に従って行うシステムであり、患者（被写体）に照射する放射線を発生させる放射線発生装置２０、患者を透過した放射線を検出し放射線画像データに変換・出力する放射線検出器を内蔵した電子カセッテ２２、電子カセッテ２２に内蔵されるバッテリ１１６（図２参照）を充電するクレードル２４、及び、上記各機器の動作を制御するコンソール２６を各々備えている。図２に示すように、放射線画像撮影システム１８には無線ネットワーク２８が設けられており、同一の放射線画像撮影システム１８を構成する放射線発生装置２０、電子カセッテ２２、クレードル２４及びコンソール２６は、無線ネットワーク２８経由での無線通信により各種の信号や情報の送受を行う。なお、電子カセッテ２２は本発明に係る可搬型放射線画像形成装置に対応している。
【００３７】
放射線発生装置２０は、放射線管を内蔵し当該放射線管によって放射線を発生する放射線源３０を備え、放射線源３０は線源制御部３２に接続され、線源制御部３２には曝射スイッチ３４、無線通信部３６及び線源移動部３８が各々接続されている。曝射スイッチ３４は放射線撮影の実行時に撮影者（放射線技師）によって押圧操作される。また、無線通信部３６には無線アンテナ４０が接続されており、無線通信部３６は無線アンテナ４０を介し、同一の放射線画像撮影システム１８を構成する他の機器と無線ネットワーク２８経由で無線通信を行う。
【００３８】
放射線発生装置２０は、放射線撮影を行う際に、これから行う放射線撮影における撮影条件を表す撮影条件情報をコンソール２６から受信し、受信した撮影条件情報は無線通信部３６から線源制御部３２へ入力される。コンソール２６から受信する撮影条件情報には、放射線管の管電圧や管電流、照射時間等の放射線管の駆動条件を表す情報が含まれており、線源制御部３２は、曝射スイッチ３４が押圧操作されると、放射線源３０の放射線管が上記の駆動条件に従って駆動されるように放射線源３０を制御する。これにより、放射線源３０からは上記の駆動条件に応じた適正線量の放射線が発生・射出される。
【００３９】
また図３に示すように、放射線源３０が配置される放射線撮影室４２には、立位での放射線撮影を行う際に電子カセッテ２２を保持するためのラック４４と、臥位での放射線撮影を行う際に患者が横臥するためのベッド４６が設置されており、ラック４４の前方空間は立位での放射線撮影を行う際の患者の撮影位置４８とされ、ベッド４６の上方空間は臥位での放射線撮影を行う際の患者の撮影位置５０とされている。放射線撮影室４２には、単一の放射線源３０からの放射線によって立位での放射線撮影も臥位での放射線撮影も可能とするために、放射線源３０を、水平な軸回り（図３の矢印Ａ方向）に回動可能で、鉛直方向（図３の矢印Ｂ方向）に移動可能で、かつ水平方向（図３の矢印Ｃ方向）に移動可能に支持する支持移動機構５２が設けられている。
【００４０】
線源移動部３８は、放射線源３０を水平な軸回りに回動させる駆動源と、放射線源３０を鉛直方向に移動させる駆動源と、放射線源３０を水平方向に移動させる駆動源を各々備えている（何れも図示省略）。一方、コンソール２６から受信する撮影条件情報には撮影時姿勢が立位か臥位かを表す情報が含まれており、線源制御部３２は、受信した撮影条件情報で指定された撮影時姿勢が立位であれば、放射線源３０が立位撮影用の位置５４（射出した放射線が撮影位置４８に位置している患者に側方から照射される位置）に位置するように線源移動部３８を制御し、受信した撮影条件情報で指定された撮影時姿勢が臥位であれば、放射線源３０が臥位撮影用の位置５６（射出した放射線が撮影位置５０に位置している患者に上方から照射される位置）に位置するように線源移動部３８を制御する。
【００４１】
なお電子カセッテ２２は、放射線技師により、撮影時姿勢が立位であればラック４４に保持される位置５８へ移動・位置決めされ、撮影時姿勢が臥位であればベッド４６上の位置６０へ移動・位置決めされる。なお、電子カセッテ２２の詳細については後述する。
【００４２】
図２に示すように、クレードル２４はクレードル２４全体の動作を制御するクレードル制御部６２を備えており、クレードル制御部６２には電力供給部６３及び無線通信部６４が各々接続されている。図３に示すように、クレードル２４の筐体は電子カセッテ２２を挿入可能な凹部が設けられた形状とされ、電力供給部６３は、クレードル２４の筐体の凹部に電子カセッテ２２が挿入されている状態で、電子カセッテ２２のバッテリ１１６に電力を供給することでバッテリ１１６を充電する。また、無線通信部６４には無線アンテナ６５が接続されており、無線通信部６４は無線アンテナ６５を介し、同一の放射線画像撮影システム１８を構成する他の機器と無線ネットワーク２８経由で無線通信を行う。
【００４３】
なお、本実施形態では後述のように、放射線撮影が行われることで電子カセッテ２２で生成された放射線画像データが、無線ネットワーク２８経由で電子カセッテ２２からコンソール２６へ直接送信される態様を説明しているが、これに限られるものではなく、クレードル２４の筐体の凹部に電子カセッテ２２が挿入されている状態で、例えばレーザ光等を用いた通信を行う機能を電子カセッテ２２及びクレードル２４に各々設けると共に、クレードル２４を、前記状態で電子カセッテ２２から前述の通信機能により放射線画像データを受信してメモリ等に一時記憶し、一時記憶した放射線画像データを適当なタイミングでコンソール２６へ送信するように構成してもよい。
【００４４】
またコンソール２６には、ＰＣ等で構成され、ＣＰＵ６６Ａ、ＲＯＭ及びＲＡＭを含むメモリ６６Ｂ、ＨＤＤ(Hard Disk Drive)やフラッシュメモリ等から成る不揮発性の記憶部６６Ｃを備えたシステム制御部６６が設けられており、このシステム制御部６６には、ＬＣＤ(Liquid Crystal Display)等から成るディスプレイ６７、キードードやマウス等から成る入力部６８、病院内ネットワーク１６(図１参照)との通信を司る通信Ｉ／Ｆ（インタフェース）部６９、及び、無線通信部５９が各々接続されている。無線通信部５９には無線アンテナ６１が接続されており、無線通信部５９は無線アンテナ６１を介し、同一の放射線画像撮影システム１８を構成する他の機器と無線ネットワーク２８経由で無線通信を行う。
【００４５】
続いて本第１実施形態に係る電子カセッテ２２について説明する。図４に示すように、電子カセッテ２２は、放射線（図４では放射線に"Ｘ"の符号を付して示す）を透過させる材料から成り厚みを有する平板状(扁平な箱形状)の筐体(ケーシング)７０によって覆われており、筐体７０の内部には、筐体７０のうち放射線が照射される被照射面７２側から順に、被写体を透過することに伴って生ずる放射線の散乱線を除去するグリッド７４、放射線を検出する放射線検出器(放射線検出パネル)７６、及び、鉛シート７８が配設されている。なお、筐体７０の被照射面７２をグリッド７４で構成してもよい。また、筐体７０の内部の一端側には、後述する各種回路を収容するケース８２が配置されている。ケース８２内部に収容された各種回路が放射線の照射に伴って損傷することを回避するため、ケース８２の被照射面７２側には鉛シート等を配設しておくことが望ましい。なお、放射線検出器７６は後述する信号処理部１０２と共に本発明に係る画像出力手段に対応している。
【００４６】
また、本第１実施形態に係る電子カセッテ２２の筐体７０のうち、被照射面７２と反対側の面（背面）には表示部ユニット１１９が取付けられている。表示部ユニット１１９は、画像等を表示可能な表示デバイスを備えた表示部１２０と、筐体７０と同様に扁平な箱形状とされ表示部１２０を収納するための収納スペース（以下、この収納スペースを収納部１２２(図５(Ｂ)参照)と称する）が内部に形成された収納ケース１２１を含んで構成されている。図５,６に示すように、本第１実施形態に係る表示部１２０は、全体として厚みを有する長方形状とされており、収納ケース１２１の収納部１２２は表示部１２０全体を収納可能な形状・大きさとされている。表示部１２０は、長方形状で対向する２面のうちの一方の面が、表示デバイスによって画像等を表示可能な表示領域が設けられた表示面とされており、被照射面７２側が上方を向くように電子カセッテ２２の筐体７０が配置された状態で、表示面が上方を向く向きで収納部１２２内に収納されている。なお、本第１実施形態では、表示面に設けられた表示領域の形状が長方形状であるので、上記の表示デバイスとしてはＬＣＤが好適であるが、ＬＣＤ以外の表示デバイスを用いてもよい。
【００４７】
また、図５,６に示すように、電子カセッテ２２の筐体７０のうち、被照射面７２と接する側面には、電子カセッテ２２（筐体７０）を移動させる際に把持するための取っ手部１２４が取付けられており、収納ケース１２１のうち取っ手部１２４が取付けられている側に位置している特定の側面には、表示部１２０が通過可能な扁平な矩形状の開口１２６が設けられている。収納ケース１２１内の収納部１２２はこの開口を介して収納ケース１２１外と連通しており、表示部１２０は収納部１２２内に挿入されている。表示部１２０は、表示部１２０を収納ケース１２１の収納部１２２内から引き出す方向（図６の矢印Ｄ方向）へスライド移動(摺動移動)させる展開操作が行われることで、筐体７０外のうち取っ手部が設けられている側へ表示部１２０(の表示面)が展開し、表示部１２０の大部分が収納ケース１２１外（筐体７０外）に露出している状態(図６(Ｃ)に示す状態) となる。以下、この状態での表示部１２０の位置を表示可能位置という。また表示部１２０は、表示可能位置に位置している状態から、表示部１２０を収納ケース１２１の収納部１２２内へ挿入する方向（図６の矢印Ｅ方向）へスライド移動させる収納操作が行われることで、表示部１２０全体が収納部１２２内に収納されている状態(図５(Ａ),図６(Ａ)に示す状態)となる。以下、この状態での表示部１２０の位置を収納位置という。
【００４８】
また、表示部１２０全体が収納部１２２内に収納されている状態(図５(Ａ),図６(Ａ)に示す状態)で開口１２６を閉塞する表示部１２０の側面には、一対の把持部１２８が取付けられており、表示部１２０は、一対の把持部１２８を把持した撮影者（放射線技師）によって前述の収納操作又は展開操作が行われることで、上記の収納位置又は表示可能位置へスライド移動される。なお、表示部１２０のうち把持部１２８が取付けられている側と反対側の端部付近には、収納部１２２から引き出す方向への表示部１２０のスライド移動を表示可能位置迄に制限する図示しないストッパが取付けられている。このストッパにより、表示部１２０全体が収納部１２２から離脱する（表示部１２０が電子カセッテ２２の筐体７０と分離する）ことが阻止される。このように、表示部ユニット１１９は、収納ケース１２１の収納部１２２内への表示部１２０の収納が可能で、かつ収納部１２２から引き出された表示部１２０が取っ手部１２４が設けられている側へ展開する向きで筐体７０に取付けられている。
【００４９】
また図５に示すように、表示部１２０の背面（被照射面７２側と反対側の面）には鉛シート１３０が貼付されている。なお、鉛シート７８は請求項１３に記載の放射線吸収部材に対応しており、鉛シート７８によって放射線のバック散乱を吸収低減することができ、更に、収納部１２２に収納されている状態の表示部１２０の放射線劣化も抑制することができる。鉛シート１３０は鉛シート７８による放射線のバック散乱の吸収低減を補助する目的で設けられており、鉛シート７８としては例えば鉛の厚みが0.5mm以上の鉛シート、鉛シート１３０としては例えば鉛の厚みが0.2mm程度の鉛シートが好適である。
【００５０】
なお、表示部ユニット１１９は本発明に係る表示部ユニット（より詳しくは請求項２,３,５,６に記載の表示部ユニット）に対応しており、取っ手部１２４は請求項２に記載の取っ手部に、把持部１２８は請求項３に記載の把持部に各々対応している。
【００５１】
電子カセッテ２２の放射線検出器７６は、図２に示すＴＦＴアクティブマトリクス基板８６上に、放射線を吸収して電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。なお、放射線検出器７６は、上記のようにアモルファスセレン等の放射線−電荷変換材料を用いて放射線を電荷へ直接変換する構成に限られるものではなく、ガドリニウム硫酸化物(ＧＯＳ)やヨウ化セシウム(ＣｓＩ)等の蛍光体材料によって放射線−光変換を行い、フォトダイオード等の光電変換素子によって光−電荷変換を行うことで、放射線を間接的に電荷へ変換する構成を採用してもよい。
【００５２】
ＴＦＴアクティブマトリクス基板８６上には、光電変換層で発生された電荷を蓄積する蓄積容量８８と、蓄積容量８８に蓄積された電荷を読み出すためのＴＦＴ９０を備えた画素部９４（図１では個々の画素部９４に対応する光電変換層を光電変換部９２として模式的に示している）がマトリクス状に多数個配置されており、電子カセッテ２２への放射線の照射に伴って光電変換層で発生された電荷は、個々の画素部９４の蓄積容量８８に蓄積される。これにより、電子カセッテ２２に照射された放射線に担持されていた画像情報は電荷情報へ変換されて放射線検出器７６に保持される。
【００５３】
また、ＴＦＴアクティブマトリクス基板８６には、一定方向（行方向）に延設され個々の画素部９４のＴＦＴ９０をオンオフさせるための複数本のゲート配線９６と、ゲート配線９６と直交する方向（列方向）に延設されオンされたＴＦＴ９０を介して蓄積容量８８から蓄積電荷を読み出すための複数本のデータ配線９８が設けられている。個々のゲート配線９６はゲート線ドライバ１００に接続されており、個々のデータ配線９８は信号処理部１０２に接続されている。個々の画素部９４の蓄積容量８８に電荷が蓄積されると、個々の画素部９４のＴＦＴ９０は、ゲート線ドライバ１００からゲート配線９６を介して供給される信号により行単位で順にオンされ、ＴＦＴ９０がオンされた画素部９４の蓄積容量８８に蓄積されている電荷は、電荷信号としてデータ配線９８を伝送されて信号処理部１０２に入力される。従って、個々の画素部９４の蓄積容量８８に蓄積されている電荷は行単位で順に読み出される。
【００５４】
図示は省略するが、信号処理部１０２は、個々のデータ配線９８毎に設けられた増幅器及びサンプルホールド回路を備えており、個々のデータ配線９８を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部１０２には画像メモリ１０４が接続されており、信号処理部１０２のＡ／Ｄ変換器から出力された画像データは画像メモリ１０４に順に記憶される。画像メモリ１０４は複数フレーム分の画像データを記憶可能な記憶容量を有しており、放射線画像の撮影が行われる毎に、撮影によって得られた画像データが画像メモリ１０４に順次記憶される。なお、画像メモリ１０４は本発明に係る記憶手段に対応している。
【００５５】
また、画像メモリ１０４にはカセッテ制御部１０６が接続されている。カセッテ制御部１０６はマイクロコンピュータ等から成り、ＣＰＵ１０６Ａ、ＲＯＭ及びＲＡＭを含むメモリ１０６Ｂ、ＨＤＤやフラッシュメモリ等から成る不揮発性の記憶部１０６Ｃを備えており、後述する情報表示処理を行うための情報表示プログラムは記憶部１０６Ｃに記憶されている。また、図示は省略するが、カセッテ制御部１０６は前述したゲート線ドライバ１００及び信号処理部１０２に接続されており、ゲート線ドライバ１００及び信号処理部１０２による個々の画素部９４からの電荷の読み出しを制御する。更に、カセッテ制御部１０６には表示部１２０、入力部１０８、引出センサ１１０、無線通信部１１２が各々接続されている。
【００５６】
カセッテ制御部１０６は後述する情報表示処理を行うことで、画像メモリ１０４に記憶されている画像データが表す放射線画像等の情報を表示部１２０に表示させる。このように、カセッテ制御部１０６は本発明に係る表示制御手段に対応している。また、本実施形態において、入力部１０８は表示部１２０の表示面に設けられたタッチパネルから成り、撮影者によって入力部１０８（タッチパネル）が操作されることで、当該操作に応じた情報がカセッテ制御部１０６に入力される。また、引出センサ１１０は収納部１２２に設けられ収納部１２２内から表示部１２０が引き出されたか否かを検出するセンサであり、引出センサ１１０による検出結果もカセッテ制御部１０６に入力される。また、無線通信部１１２には無線アンテナ１１４が接続されており、無線通信部１１２は無線アンテナ１１４を介し、同一の放射線画像撮影システム１８を構成する他の機器と無線ネットワーク２８経由で無線通信を行う。なお、無線通信部１１２による他の機器との無線通信は、電波による通常の無線通信に代えて、赤外線等を用いた光無線通信であってもよい。
【００５７】
また、電子カセッテ２２はバッテリ１１６を内蔵しており、上述した各種回路(ゲート線ドライバ１００、信号処理部１０２、画像メモリ１０４、カセッテ制御部１０６、表示部１２０、入力部１０８、無線通信部１１２等)は、バッテリ１１６から供給された電力によって作動する。なお、本実施形態では、バッテリ１１６として、クレードル２４の電力供給部６３から供給される電力によって充電される二次電池を用いているが、これに限られるものではなく、バッテリ１１６として一次電池を用いてもよいし、商用電源に常時接続され商用電源から供給された電力を整流、変圧して各種回路へ電力を供給する電源部をバッテリ１１６に代えて設けてもよい。
【００５８】
次に本第１実施形態の作用を説明する。本第１実施形態に係る電子カセッテ２２は、表示部ユニット１１９を筐体７０に取付けることで、放射線画像等の情報を表示部１２０に表示可能な構成を実現しており、表示部ユニット１１９を取付ける電子カセッテ本体としては、既存の電子カセッテを用いることができ、筐体７０の形状等の変更は不要である。従って、本第１実施形態に係る電子カセッテ２２は、既存の電子カセッテに対して最小限の構成変更(筐体７０への表示部ユニット１１９の取付け等)で実現することができる。
【００５９】
また本第１実施形態では、放射線画像の撮影時姿勢に応じて、電子カセッテ２２が放射線撮影室４２内の位置５８又は位置６０へ移動・位置決めされるが、第１実施形態に係る電子カセッテ２２は、表示部１２０を収納ケース１２１の収納部１２２内に収納可能であるので、電子カセッテ２２を位置５８又は位置６０へ移動・位置決めする際や、他の撮影室や手術室、或いは放射線画像撮影装置を搭載した車両での放射線撮影に用いるために電子カセッテ２２を放射線撮影室４２から持ち出す際には、前述の収納操作を行って表示部１２０を収納ケース１２１の収納部１２２内に収納しておくことで、表示部１２０が電子カセッテ２２の移動の障害となることを防止することができる。
【００６０】
また、第１実施形態に係る電子カセッテ２２は、表示部１２０を収納ケース１２１のの収納部１２２内から引き出す方向へスライド移動させる展開操作を行うことで、表示部１２０を収納ケース１２１外（筐体７０外）へ展開させることができるので、表示部１２０を筐体７０外へ展開させる展開操作を容易に行うことができ、取扱性も良好である。また、前述の展開操作を行った場合、表示部１２０は、筐体７０のうち取っ手部１２４が設けられている側面の外側の空間へ展開されるが、電子カセッテ２２の移動や位置調整は取っ手部１２４を把持して行われるので、上記空間は通常、他の物体が存在しない空間であり、他の物体の干渉によって表示部１２０を展開させることが困難となることを防止することができる。
【００６１】
また、収納部１２２からの表示部１２０の引き出しは、図示しないストッパにより図６(Ｃ)に示す表示可能位置迄に制限され、表示部１２０が収納ケース１２１と分離することのないように収納ケース１２１に取付けられているので、電子カセッテ２２を所望の位置へ移動・位置決めした後に、前述の展開操作によって表示部１２０を収納部１２２から表示可能位置迄引き出し、表示部１２０を筐体７０外に展開させた場合にも、表示部１２０が収納ケース１２１を介して筐体７０に支持され、筐体７０に対して図６(Ｃ)に示す位置関係で維持される。従って、表示部１２０を支持する支持機構等は不要であり、表示部ユニット１１９を設けたことで電子カセッテ２２の取扱性や可搬性が低下することを回避できる。また、電子カセッテ２２の筐体７０に対して被写体としての患者が図５に破線で示す位置に位置している等の場合にも、表示部１２０を収納ケース１２１外（筐体７０外）に展開させることで、表示部１２０の表示面が患者の体と接している状態となったり、患者の体によって表示部１２０の表示面が隠れている状態となることを防止することができるので、表示部１２０に表示された放射線画像等の情報を撮影者が確実に視認することができる。
【００６２】
続いて、ＲＩＳ１０における放射線画像の撮影について説明する。医師や放射線技師が端末装置１２を介して放射線画像の撮影を依頼する際には、撮影する患者を特定するための情報（例えば患者ＩＤ等）や撮影部位、撮影時姿勢等の情報が端末装置１２に入力される。なお、患者ＩＤが記録された患者タグが個々の患者に携帯（或いは装着）される場合、患者を特定するための情報の入力は、撮影する患者が携帯している患者タグに記録された患者ＩＤを、端末装置１２に接続された読取装置によって読み取ることによって成される。端末装置１２を介して成された放射線画像の撮影依頼は端末装置１２に入力された各情報と共にＲＩＳサーバ１４へ送信され、ＲＩＳサーバ１４で受け付けされる。
【００６３】
ＲＩＳサーバ１４は、端末装置１２から放射線画像の撮影依頼を受け付けると、既に登録されている個々の放射線画像撮影システム１８における放射線画像の撮影スケジュールを参照し、受け付けた撮影依頼に係る放射線画像の撮影を、何れの放射線画像撮影システム１８で行うかを選択すると共に、選択した放射線画像撮影システム１８で放射線画像の撮影を行う日時を決定する。そして、ＲＩＳデータベースから患者の属性情報等の必要情報を読み出し、読み出した情報や決定した撮影日時等を端末装置１２から受信した情報に付加し、選択した放射線画像撮影システム１８のコンソール２６へ送信する。
【００６４】
コンソール２６は、ＲＩＳサーバ１４から上記情報を受信する毎に受信した情報を記憶部６６Ｃに記憶し、撮影者（放射線技師）からの指示に応じて、記憶部６６Ｃに記憶した情報を、放射線画像の撮影スケジュールや個々の撮影における具体的な撮影内容（例えば撮影を行う患者の氏名、撮影部位や撮影時姿勢、撮影部位から一意に定まる放射線管の標準的な駆動条件等）としてディスプレイ６７に表示する。またコンソール２６は、放射線画像の撮影を行う際に、これから行う放射線撮影における撮影条件を表す撮影条件情報を放射線発生装置２０へ送信する。これにより、放射線発生装置２０の線源制御部３２は、受信した撮影条件情報で指定された撮影時姿勢に応じた位置に放射線源３０が位置するように線源移動部３８を制御する。
【００６５】
放射線画像の撮影を行う場合、撮影者（放射線技師）は、コンソール２６で撮影部位や撮影時姿勢、放射線管の駆動条件等を確認した後に、放射線撮影室４２内において、撮影時姿勢に応じた位置（位置５８又は位置６０）へ電子カセッテ２２を移動・位置決めし、撮影を行う患者本人に対して氏名を確認し、撮影を行う患者を撮影時姿勢に応じた位置（位置４８又は位置５０）に位置させ、必要に応じて放射線源３０の位置を微調整する等の一連の準備作業を行う。そして、一連の準備作業が完了すると曝射スイッチ３４をオンする。
【００６６】
これにより、放射線源３０からは、放射線発生装置２０がコンソール２６から受信した撮影条件情報に含まれる放射線管の駆動条件に応じた線量の放射線が発生・射出され、放射線源３０から射出された放射線は患者を透過して電子カセッテ２２の被照射面７２に照射される。また電子カセッテ２２では、被照射面７２内の各部に照射された放射線が放射線検出器７６によって電荷に変換・蓄積された後に、ゲート線ドライバ１００及び信号処理部１０２によって蓄積された電荷が読み出され、放射線画像のデータへ変換されて画像メモリ１０４に記憶される。
【００６７】
また、画像メモリ１０４に記憶された放射線画像のデータは電子カセッテ２２から無線ネットワーク２８を経由してコンソール２６へ送信され、コンソール２６の記憶部６６Ｃに記憶される。記憶部６６Ｃに記憶された放射線画像のデータは、撮影した放射線画像の確認等のためにディスプレイ６７に表示されると共に、ＲＩＳサーバ１４に転送されてＲＩＳデータベースにも格納される。これにより、撮影された放射線画像を端末装置１２のディスプレイに表示させ、医師が放射線画像の読影や診断等を行うことが可能となる。
【００６８】
ところで、放射線画像の撮影時に患者が動いてしまい、放射線画像上で被写体がブレていた場合は撮影を再度行う必要があるので、撮影者は撮影した放射線画像上で被写体がブレていないか否かを確認する必要がある。また、同一患者の同一部位に対して過去に放射線画像の撮影を行っている場合、医師による放射線画像の読影を容易にするために、撮影者は過去に撮影された放射線画像を参照し、今回の撮影における撮影範囲（ポジショニング）を過去に撮影された放射線画像となるべく一致させる必要がある。また、例えば当初指定された撮影時姿勢が立位であったが、放射線撮影室４２に到来した患者の状態が立位での撮影が負担となる状態（例えば足を怪我している等）であったために、撮影時姿勢を変更することが望ましい場合もある。更に、放射線管の駆動条件の変更が必要となる場合もある。
【００６９】
このような、撮影した放射線画像の確認、過去に撮影された放射線画像の参照、撮影時姿勢や放射線管の駆動条件の変更は、コンソール２６を操作すれば何れも可能ではあるものの、コンソール２６は一般に放射線撮影室４２の外（例えば放射線撮影室４２に隣接する別の部屋）に設置されるので、上記のような場合、撮影者は準備作業の途中や撮影を１回行う毎に放射線撮影室４２とコンソール２６の設置箇所を往復する必要があり、非常に煩雑で作業効率が悪いという問題がある。また、過去に撮影された放射線画像を参照しながら撮影範囲（ポジショニング）を調整することができないので、撮影範囲の調整の精度も十分でないという問題もある。
【００７０】
これらの問題を解決するために、本実施形態に係る電子カセッテ２２には表示部ユニット１１９が設けられており、撮影した放射線画像の確認、過去に撮影された放射線画像の参照、撮影時姿勢や放射線管の駆動条件の変更を行う場合やその可能性がある場合、撮影者は把持部１２８を把持し、表示部ユニット１１９の収納ケース１２１の収納部１２２内から表示部１２０を引き出し、表示部１２０を収納ケース１２１外（筐体７０外）へ展開する操作を行う。この操作が行われると、表示部１２０が引き出されたことが引出センサ１１０によって検出され、これをトリガとして、電子カセッテ２２のカセッテ制御部１０６によって図７に示す情報表示処理が行われる。
【００７１】
この情報表示処理では、まずステップ３００において、表示部１２０に表示すべき各種情報（例えば撮影を行う患者の患者ＩＤや氏名、撮影部位、撮影時姿勢、放射線管の管電圧、管電流等：以下ではこれらの情報を「ＲＩＳ情報」と総称する）の送信を要求する情報を無線通信部１１２を介してコンソール２６へ送信することで、ＲＩＳ情報の送信をコンソール２６に要求する。次のステップ３０２では、他の機器から何らかの情報を受信したか否か判定する。判定が否定された場合はステップ３０４へ移行し、タッチパネルから成る入力部１０８を介して何らかの情報が入力されたか否か判定する。この判定が否定された場合はステップ３０６へ移行し、表示部１２０が収納部１２２内に収納されたことが引出センサ１１０によって検出されたか否か判定する。この判定も否定された場合はステップ３０２に戻り、何れかの判定が肯定される迄ステップ３０２〜ステップ３０６を繰り返す。
【００７２】
コンソール２６では、ＲＩＳ情報の送信を要求する情報を電子カセッテ２２から受信すると、これから行われる撮影に関する情報を記憶部６６Ｃから読み出し、読み出した情報をＲＩＳ情報として編集し、無線通信部５９を介して電子カセッテ２２へ送信する。このＲＩＳ情報が電子カセッテ２２の無線通信部１１２で受信されてカセッテ制御部１０６に入力されると、ステップ３０２の判定が肯定されてステップ３０８へ移行し、ステップ３０８では受信した情報の種類に応じて分岐する。受信した情報がコンソール２６から受信したＲＩＳ情報である場合はステップ３０８からステップ３１０へ移行し、まずコンソール２６から受信したＲＩＳ情報をメモリ１０Ｂに記憶させる。
【００７３】
次のステップ３１２では、コンソール２６から受信したＲＩＳ情報をＲＩＳ情報表示・修正画面として表示部１２０の表示面に表示させる。このＲＩＳ情報表示・修正画面は、受信したＲＩＳ情報の内容（患者の患者ＩＤや氏名、撮影部位、撮影時姿勢、放射線管の管電圧、管電流等）を表示すると共に、一部の項目（例えば撮影時姿勢、放射線管の管電圧、管電流等）については撮影者（放射線撮影技師）による修正指示の入力も可能な画面であり、表示部１２０の表示面にこの画面が表示されることで、これから行おうとしている放射線画像の撮影の内容を把握することができる。
【００７４】
また、上記画面では患者ＩＤや氏名が表示されるので、例えば患者本人に対して氏名を確認し、確認した氏名を上記画面に表示されている氏名と照合する等により、撮影を行う患者の取違いが無いか否かを放射線撮影室４２内で確実に確認することができる。また、上記画面では撮影時姿勢や放射線管の管電圧、管電流等が、撮影者による修正指示の入力も可能に表示されるので、撮影者がこれらの項目の内容を確認し、修正が必要と判断した場合には、タッチパネルから成る入力部１０８を介して修正指示を入力することで、放射線撮影室４２とコンソール２６の設置箇所とを往復することなく、撮影時姿勢や放射線管の管電圧、管電流等を変更することが可能となる。
【００７５】
次のステップ３１４では、過去に撮影された関連する放射線画像のデータを要求する情報を生成し、受信したＲＩＳ情報に含まれる患者ＩＤと撮影部位を前記生成した情報に付加してコンソール２６へ送信することで、過去に撮影され今回の撮影と患者及び撮影部位が同一の放射線画像のデータの転送をコンソール２６に要求する。ステップ３１４の処理を行うとステップ３０２に戻り、ステップ３０２〜ステップ３０６を繰り返す。
【００７６】
コンソール２６は、電子カセッテ２２から上記情報を受信すると、受信した情報をＲＩＳサーバ１４へ転送することで、過去に撮影された関連する放射線画像のデータをＲＩＳサーバ１４に要求し、ＲＩＳサーバ１４は、コンソール２６から受信した情報に付加されている患者ＩＤ及び撮影部位をキーにしてＲＩＳデータベースを検索する。そして、該当する放射線画像のデータがＲＩＳデータベースに記憶されていた場合、ＲＩＳサーバ１４は該当する放射線画像のデータをＲＩＳデータベースから読み出し、要求元のコンソール２６へ送信する。またコンソール２６は、電子カセッテ２２から要求された放射線画像のデータをＲＩＳサーバ１４から受信すると、受信した放射線画像のデータを要求元の電子カセッテ２２へ送信する。
【００７７】
上記の放射線画像のデータが電子カセッテ２２で受信されると、情報表示処理(図７)のステップ３０２の判定が肯定されてステップ３０８へ移行し、受信した情報がコンソール２６から受信した放射線画像のデータである場合はステップ３０８からステップ３１６へ分岐する。ステップ３１６ではコンソール２６から受信した放射線画像のデータをメモリ１０６Ｂに記憶させる。そしてステップ３１８では、コンソール２６から受信したデータに基づき、当該データが表す放射線画像（今回の撮影と患者及び撮影部位が同一で、過去に撮影された放射線画像）を表示部１２０に表示させ、ステップ３０２に戻る。
【００７８】
上記処理により、撮影者は、表示部１２０に表示された放射線画像を参照することで、同一の患者の同一の撮影部位を過去に撮影した際の撮影範囲等を把握することができ、把握した撮影範囲になるべく一致するように今回の撮影における撮影範囲を調整することを、放射線撮影室４２とコンソール２６の設置箇所とを往復することなく行うことができる。また、過去に撮影された放射線画像が、放射線撮影室４２外に設置されたコンソール２６のディスプレイ６７に表示される場合と比較して、今回の撮影における撮影範囲の調整をより精度良く行うことができる。
【００７９】
なお、過去に撮影され今回の撮影に関連する放射線画像が存在しない場合は、ＲＩＳサーバ１４からコンソール２６へ該当する放射線画像のデータが送信されず、コンソール２６から電子カセッテ２２へも放射線画像のデータが送信されないので、ステップ３１６,３１８の処理は行われず、過去に撮影され今回の撮影に関連する放射線画像は表示されない。また、ＲＩＳサーバ１４が端末装置１２から撮影依頼を受け付けた段階で、過去に撮影され今回の撮影に関連する放射線画像が存在するか否かをＲＩＳサーバ１４が判定し、当該判定の結果に相当する画像有無情報をＲＩＳサーバ１４からコンソール２６へ送信する情報に付加しておき、コンソール２６から電子カセッテ２２へ送信されるＲＩＳ情報にも上記の画像有無情報を付加し、電子カセッテ２２では、コンソール２６から受信したＲＩＳ情報に付加されている画像有無情報に基づき、過去に撮影され今回の撮影に関連する放射線画像が存在している場合にのみ、当該放射線画像のデータを要求する（ステップ３１４の処理を行う）ようにしてもよい。
【００８０】
また、表示部１２０にＲＩＳ情報表示・修正画面が表示されている状態で、タッチパネルから成る入力部１０８が撮影者によって操作され、撮影時姿勢や放射線管の管電圧、管電流等の撮影条件の修正を指示する情報が入力された場合には、ステップ３０４の判定が肯定されてステップ３２６へ移行し、入力された情報は撮影条件の修正を指示する情報か否か判定する。この場合は判定が肯定されてステップ３２８へ移行し、メモリ１０６Ｂに記憶しているＲＩＳ情報のうち、入力された情報によって修正が指示された項目の内容を指示に応じて修正する。また、次のステップ３３０では修正後のＲＩＳ情報をコンソール２６へ送信する。なお、次のステップ３３２では放射線画像の確認が終了したか否かを判定するが、この場合は判定が否定されてステップ３０２に戻り、ステップ３０２〜ステップ３０６が再度繰り返される。
【００８１】
撮影者の指示によって修正したＲＩＳ情報を電子カセッテ２２から受信した場合、コンソール２６は、電子カセッテ２２から受信したＲＩＳ情報を撮影条件情報へ編集して放射線発生装置２０へ送信すると共に、記憶部６６Ｃに記憶されている情報のうち受信したＲＩＳ情報に対応する情報を、受信したＲＩＳ情報に基づいて修正する。これにより、撮影者の指示によって修正された項目が管電圧、管電流等の放射線管の駆動条件に関する項目であれば、放射線源３０からの放射線の射出時に、修正後の内容に応じた駆動条件で放射線管が駆動され、撮影者の指示によって修正された項目が撮影時姿勢であれば、放射線源３０が修正後の撮影時姿勢に対応する位置へ移動するように、線源移動部３８による放射線源３０の移動が線源制御部３２によって制御される。上記処理により、撮影者は、今回の撮影における撮影条件の修正を、放射線撮影室４２とコンソール２６の設置箇所とを往復することなく行うことができる。
【００８２】
また、撮影者によって曝射スイッチ３４が押圧操作されると、放射線発生装置２０から電子カセッテ２２へ曝射指示の入力が通知される。ステップ３０２の判定が肯定されてステップ３０８へ移行し、受信した情報が放射線発生装置２０から受信した曝射指示の入力通知である場合はステップ３０８からステップ３２０へ分岐する。曝射スイッチ３４が押圧操作されると、放射線発生装置２０は放射線源３０から放射線を射出させ、放射線源３０から射出された放射線は患者（被写体）を透過して電子カセッテ２２に照射される。ステップ３２０では、放射線源３０からの放射線の射出が終了したタイミングで、放射線検出器７６に蓄積された電荷を読み出し、放射線画像のデータへ変換して画像メモリ１０４に記憶するが、電子カセッテ２２がコンソール２６から受信するＲＩＳ情報には、放射線検出器７６からの電荷読み出しにおける読出条件を規定する情報（例えば同時読み出しライン数等）も含まれており、放射線検出器７６からの電荷読み出しは上記情報が規定する読出条件に従って行われる。
【００８３】
次のステップ３２２では、ステップ３２０で画像メモリ１０４に記憶された画像データが表す放射線画像（今回の撮影で得られた放射線画像）を表示部１２０に表示させる。これにより撮影者は、表示部１２０に表示された放射線画像を参照することで、今回の撮影における撮影範囲が適切か否か、放射線画像上で被写体がブレていないか否かを確認することができる。なお、画像メモリ１０４にデータが記憶された放射線画像を表示部１２０にそのまま表示させることに限られるものではなく、例えば画像データに対して各種の画像処理（例えば画像データに重畳されたノイズを除去したり、放射線検出器７６の各画素部９４の特性のばらつきに起因する画像データの画素毎のばらつきを補正する各種の補正処理等）を行った後に、表示部１２０に表示させるようにしてもよい。
【００８４】
また、次のステップ３２４では、今回の撮影で得られた放射線画像の画像データをコンソール２６へ送信する。コンソール２６へ送信された画像データはコンソール２６の記憶部６６Ｃに記憶され、放射線画像の確認等のためにディスプレイ６７に表示されると共に、ＲＩＳサーバ１４に転送されてＲＩＳデータベースにも格納され、端末装置１２を介しての放射線画像の読影や診断等に供せられる。ステップ３２４の処理を終了するとステップ３０２に戻り、ステップ３０２〜ステップ３０６を再度繰り返す。
【００８５】
また、表示部１２０に表示された放射線画像の確認が完了すると、撮影者はタッチパネルから成る入力部１０８を操作し、放射線画像確認の終了を意味する情報を入力する。この場合、ステップ３０４の判定が肯定され、ステップ３２６の判定が否定されると共に、ステップ３３２の判定が肯定されてステップ３３４へ移行し、次に行うべき撮影に対応するＲＩＳ情報の送信をコンソール２６に要求してステップ３０２に戻る。そして、この要求に従ってコンソール２６から送信されたＲＩＳ情報を受信することで、上述したシーケンスが再度繰り返されることになる。
【００８６】
また、電子カセッテ２２を移動させる場合や、その日に予定していた放射線画像の撮影が全て終了した場合、撮影者は把持部１２８を把持し、表示部１２０を押圧して電子カセッテ２２の筐体７０に取付けられた表示部ユニット１１９の収納ケース１２１の収納部１２２内へ収納させる操作を行う。この操作が行われると、表示部１２０が収納されたことが引出センサ１１０によって検出され、ステップ３０６の判定が肯定されることで、上述した情報表示処理が終了される。
【００８７】
なお、第１実施形態では表示部１２０のスライド移動が、表示部１２０が収納部１２２内を摺動移動することで成される態様を説明したが、これに限定されるものではなく、表示部１２０のスライド移動の方向に直交する方向に沿った表示部１２０の両端部と収納部１２２の内壁の間に、スライド移動に対する摩擦力を低減するレール等を設けてもよい。この場合、表示部１２０をより小さな力でスライド移動させることができる。
【００８８】
〔第２実施形態〕
次に本発明の第２実施形態について説明する。なお、以下では第１実施形態と同一の部分には同一の符号を付して説明を省略し、第１実施形態と異なる部分についてのみ説明する。
【００８９】
図８には本第２実施形態に係る電子カセッテ２２（の一部）が示されている。本第２実施形態に係る電子カセッテ２２は、第１実施形態と同様に、筐体７０のうち被照射面７２と反対側の面（背面）に表示部ユニット１３３が取付けられている。表示部ユニット１３３は、第１実施形態で説明した表示部１２０と同様の形状の表示部１３４と、第１実施形態で説明した収納ケース１２１と同様の形状とされ表示部１３４全体を収納可能な形状・大きさの収納部１２２（図示省略）が内部に形成された収納ケース１３５と、を含んで構成されている。表示部１３４全体が収納ケース１３５の収納部１２２内に収納されている状態(図８(Ａ)に示す状態)で、収納ケース１３５に設けられた開口１２６を閉塞する表示部１３４の側面には取っ手部１２４が取付けられている。取っ手部１２４は電子カセッテ２２（筐体７０）を移動させる際に把持されると共に、表示部１３４をスライド移動させる際にも把持される。
【００９０】
また表示部１３４は、収納ケース１３５の収納部１２２内へ挿入する際の先端側で、かつ収納部１２２内への挿入方向に直交する方向に沿った両端部が、前記挿入方向に直交する軸回りに回動可能にブラケット１３６（図８(Ｃ),(Ｄ)参照）に支持されている。ブラケット１３６は、第１実施形態で説明した展開操作や収納操作に伴い、表示部１３４と一体となって収納部１２２内をスライド移動されるが、このブラケット１３６には、収納部１２２から引き出す方向への表示部１３４及びブラケット１３６のスライド移動を、図８(Ｃ),(Ｄ)に示す位置(表示可能位置)迄に制限する図示しないストッパが取付けられている。このストッパにより、表示部１３４全体が収納ケース１３５の収納部１２２から離脱する（表示部１３４が電子カセッテ２２の筐体７０と分離する）ことが阻止される。このように、表示部ユニット１３３は、収納ケース１３５の収納部１２２内への表示部１３４の収納が可能で、かつ収納部１２２内から引き出された表示部１３４が取っ手部１２４が設けられている側へ展開する向きで筐体７０に取付けられている。
【００９１】
また表示部１３４は、被照射面７２側が上方を向くように電子カセッテ２２の筐体７０が配置された状態で、表示面が下方を向く向きで収納ケース１３５の収納部１２２内に収納されるが、表示部１３４とブラケット１３６との間には、コイルばね等から成り表示部１３４を前記軸回り（図８の矢印Ｆ方向）に回動させる付勢手段が介在されている（図示省略）。これにより、車載用ナビゲーション装置においてディスプレイをダッシュボード内に収納可能な所謂インダッシュ型ディスプレイと同様に、表示部１３４を収納ケース１３５の収納部１２２内から引き出す方向（図８の矢印Ｄ方向）へスライド移動(摺動移動)させる展開操作が行われ、表示部１３４が収納部１２２から図８(Ｃ)に示す表示可能位置迄引き出されると、付勢手段の付勢力により、表示部１３４は図８(Ｄ)に示す位置（表示面が被照射面７２に直交する方向におよそ沿う位置）迄図８の矢印Ｆ方向へ回動され、表示面が電子カセッテ２２の側方から容易に視認可能な向きに配置された状態になる。
【００９２】
また、この状態で取っ手部１２４が把持され、表示部１３４の表示面が下方を向く位置迄表示部１３４を逆方向（図８の矢印Ｆ方向と反対の方向）へ回動させる操作が行われた後に、収納ケース１３５の収納部１２２内へ挿入する方向（図８の矢印Ｅ）へ表示部１３４をスライド移動させる収納操作が行われることで、表示部１３４は収納ケース１３５の収納部１２２内に収納される。また図示は省略するが、本第２実施形態において、鉛シート１３０は収納部１２２の底面（表示部１３４が収納部１２２内に収納された状態で表示部１３４の表示面と対向する面）に貼付されている。また、本第２実施形態においても、表示面に設けられた表示領域の形状が長方形状であるので、上記の表示デバイスとしてはＬＣＤが好適であるが、ＬＣＤ以外の表示デバイスを用いてもよい。
【００９３】
なお、表示部ユニット１３３は本発明に係る表示部ユニット（より詳しくは請求項２,３,５〜７に記載の表示部ユニット）に対応しており、取っ手部１２４は請求項２に記載の取っ手部、請求項３,４に記載の把持部に各々対応している。また、ブラケット１３６は請求項７に記載の支持機構に、付勢手段は請求項７に記載の回動手段に各々対応している。
【００９４】
次に本第２実施形態の作用を説明する。本第２実施形態に係る電子カセッテ２２についても、表示部ユニット１３３を筐体７０に取付けることで、放射線画像等の情報を表示部１３４に表示可能な構成を実現しており、表示部ユニット１３３を取付ける電子カセッテ本体としては、既存の電子カセッテを用いることができ、筐体７０の形状等の変更は不要である。従って、本第２実施形態に係る電子カセッテ２２についても、既存の電子カセッテに対して最小限の構成変更(筐体７０への表示部ユニット１３３の取付け等)で実現することができる。
【００９５】
また、第２実施形態に係る電子カセッテ２２は、表示部１３４を収納ケース１３５の収納部１２２内に収納可能であるので、電子カセッテ２２を位置５８又は位置６０へ移動・位置決めする際や、他の撮影室や手術室、或いは放射線画像撮影装置を搭載した車両での放射線撮影に用いるために電子カセッテ２２を放射線撮影室４２から持ち出す際には、前述の収納操作を行って表示部１３４を収納ケース１３５の収納部１２２内に収納しておくことで、表示部１３４が電子カセッテ２２の移動の障害となることを防止することができる。
【００９６】
また、第２実施形態に係る電子カセッテ２２は、表示部１３４を収納ケース１３５の収納部１２２内から引き出す方向へスライド移動させる展開操作を行い、表示部１３４を表示可能位置迄スライド移動させると、表示面が電子カセッテ２２の側方から容易に視認可能に配置された状態となるように表示部１３４が回動されるので、表示面を収納ケース１３５外（筐体７０外）へ展開させる展開操作を容易に行うことができ、取扱性及び表示部１３４に表示された情報の視認性も良好である。また、前述の展開操作を行った場合、表示部１３４は筐体７０のうち取っ手部１２４が設けられている側面の外側の空間へ展開されるが、電子カセッテ２２の移動や位置調整は取っ手部１２４を把持して行われるので、上記空間は通常、他の物体が存在しない空間であり、他の物体の干渉によって表示部１３４を展開させることが困難となることを防止することができる。
【００９７】
また、収納ケース１３５の収納部１２２内からの表示部１３４の引き出しは、図示しないストッパにより表示可能位置迄に制限され、表示部１３４が収納ケース１３５（筐体７０）と分離することのないように収納ケース１３５に取付けられているので、電子カセッテ２２を所望の位置へ移動・位置決めした後に、前述の展開操作によって表示部１３４を収納部１２２から表示可能位置迄引き出し、表示面が被照射面７２に直交する方向におよそ沿う位置迄表示部１３４が回動された状態でも、表示部１３４が収納ケース１３５を介して筐体７０に支持され、筐体７０に対して図８(Ｄ)に示す位置関係で維持される。従って、表示部１３４を支持する支持機構等は不要であり、表示部ユニット１３３を設けたことで電子カセッテ２２の取扱性や可搬性が低下することを回避できる。また、電子カセッテ２２の筐体７０に対し、被写体としての患者が図５に破線で示す位置に位置している等の場合にも、表示部１３４を収納ケース１３５外（筐体７０外）に展開させることで、表示部１３４の表示面が患者の体と接している状態となったり、患者の体によって表示部１３４の表示面が隠れている状態となることを防止することができ、表示部１３４に表示された放射線画像等の情報を撮影者が確実に視認することができる。
【００９８】
〔第３実施形態〕
次に本発明の第３実施形態について説明する。なお、第１実施形態及び第２実施形態と同一の部分には同一の符号を付し、説明を省略する。
【００９９】
図９には本第３実施形態に係る電子カセッテ２２（の一部）が示されている。本第３実施形態に係る電子カセッテ２２は、第１実施形態と同様に、筐体７０のうち被照射面７２と反対側の面（背面）に表示部ユニット１３９が取付けられている。表示部ユニット１３９は、厚みを有する円弧形状の表示部１４０と、表示部１４０全体を収納可能な形状・大きさの収納部１２２（図示省略）が内部に形成され、表示部１４０が通過可能な大きさの開口１２６が側面に設けられた収納ケース１４１と、を含んで構成されている。また、表示部１４０全体が収納ケース１４１の収納部１２２内に収納されている状態(図９(Ａ)に示す状態)で、開口１２６の長手方向に沿った表示部１４０の一方の端部は、被照射面７２に直交する方向に沿った軸回りに回動可能に収納ケース１４１に支持されている。また図９(Ａ)に示す状態で、開口１２６を閉塞する表示部１４０の側面のうち、筐体７０に支持されている側の端部と反対側の端部付近には単一の把持部１４２が取付けられている。
【０１００】
また表示部１４０には、収納ケース１４１の収納部１２２内から引き出す方向への表示部１４０の回動（回転スライド）を、図９(Ｃ)に示す位置(表示可能位置)迄に制限する図示しないストッパが取付けられている。これにより、表示部１４０は、把持部１４２が把持され、表示部１４０を収納ケース１４１の収納部１２２内から引き出す方向（図９の矢印Ｇ方向）へ回転スライドさせる展開操作が行われることで、収納ケース１４１外（筐体７０外）のうち取っ手部１２４が設けられている側へ展開し、表示部１４０の大部分が筐体７０外に露出している状態となる(図９(Ｃ)に示す表示可能位置に位置する)。また表示部１４０は、表示可能位置に位置している状態で、把持部１４２が把持され、表示部１４０を収納ケース１４１の収納部１２２内へ挿入する方向（図９の矢印Ｈ方向）へ回転スライドさせる収納操作が行われることで、表示部１４０全体が収納ケース１４１の収納部１２２内に収納されている状態となる(図９(Ａ)に示す収納位置に位置する)。このように、表示部ユニット１３９は、収納ケース１４１の収納部１２２への表示部１４０の収納が可能で、かつ収納部１２２から引き出された表示部１４０が取っ手部１２４が設けられている側へ展開する向きで筐体７０に取付けられている。
【０１０１】
また、本第３実施形態において、鉛シート１３０は表示部１４０の背面に貼付してもよいし、収納部１２２の底面に貼付してもよいが、本第３実施形態に係る表示部１４０は円弧形状であり、表示部１４０の背面に鉛シート１３０を貼付した場合、被照射面７２側から見て鉛シート１３０が部分的に（円弧形状の領域にのみ）配設されていることになる。これは、収納部１２２の底面を表示部１４０に倣って円弧状とした場合も同様である。このため、収納部１２２の底面は第１実施形態や第２実施形態と同様の矩形状とし、収納部１２２の底面の全面に鉛シート１３０を貼付するか、又は、表示部１４０の背面に鉛シート１３０を貼付する場合は、収納部１２２の底面のうち表示部１４０に対応する円弧形状の領域を除いた領域にも鉛シートを貼付することが望ましい。また、鉛シート１３０は鉛シート７８による放射線のバック散乱の吸収低減を補助する目的で設けられているので必須ではなく、鉛シート１３０を省略することも可能である。
【０１０２】
また図９(特に図９(Ｃ))に示すように、本第３実施形態では、表示部１４０の表示面における表示領域の形状を表示部１４０と同様に円弧形状としているが、表示領域がこのような形状の表示デバイスは特殊であるので、表示領域の形状は矩形状としてもよい。これにより、一般的かつ安価な表示デバイスを用いて表示部１４０を構成することが可能となる。なお、表示部ユニット１３９は本発明に係る表示部ユニット（より詳しくは請求項２,３,８に記載の表示部ユニット）に対応している。
【０１０３】
次に本第３実施形態の作用を説明する。本第３実施形態に係る電子カセッテ２２についても、表示部ユニット１３９を筐体７０に取付けることで、放射線画像等の情報を表示部１４０に表示可能な構成を実現しており、表示部ユニット１３９を取付ける電子カセッテ本体としては、既存の電子カセッテを用いることができ、筐体７０の形状等の変更は不要である。従って、本第３実施形態に係る電子カセッテ２２についても、既存の電子カセッテに対して最小限の構成変更(筐体７０への表示部ユニット１３９の取付け等)で実現することができる。
【０１０４】
また、本第３実施形態に係る電子カセッテ２２は、表示部１４０を収納ケース１４１の収納部１２２内に収納可能であるので、電子カセッテ２２を位置５８又は位置６０へ移動・位置決めする際や、他の撮影室や手術室、或いは放射線画像撮影装置を搭載した車両での放射線撮影に用いるために電子カセッテ２２を放射線撮影室４２から持ち出す際には、前述の収納操作を行って表示部１４０を収納ケース１４１の収納部１２２内に収納しておくことで、表示部１４０が電子カセッテ２２の移動の障害となることを防止することができる。
【０１０５】
また、第３実施形態に係る電子カセッテ２２は、表示部１４０を収納ケース１４１の収納部１２２内から引き出す方向へ回転スライドさせる展開操作を行うことで、表示部１４０の表示面を収納ケース１４１外（筐体７０外）へ展開させることができるので、表示部１４０を筐体７０外へ展開させる展開操作を容易に行うことができ、取扱性も良好である。また、前述の展開操作を行った場合、表示部１４０は筐体７０のうち取っ手部１２４が設けられている側面の外側の空間へ展開されるが、電子カセッテ２２の移動や位置調整は取っ手部１２４を把持して行われるので、上記空間は通常、他の物体が存在しない空間であり、他の物体の干渉によって表示部１４０を展開させることが困難となることを防止することができる。
【０１０６】
また、第３実施形態に係る電子カセッテ２２は、表示部１４０が回動可能に収納ケース１４１に支持されていると共に、表示部１４０が表示可能位置に位置している状態でのそれ以上の引き出しは図示しないストッパによって制限され、表示部１４０が収納ケース１４１（筐体７０）と分離することのないように収納ケース１４１に取付けられているので、電子カセッテ２２を所望の位置へ移動・位置決めした後に、表示部１４０を表示可能位置迄回転スライドさせ、表示部１４０を筐体７０外に展開させた場合にも、表示部１４０が収納ケース１４１を介して筐体７０に支持され、筐体７０に対して図９(Ｃ)に示す位置関係で維持される。従って、表示部１４０を支持する支持機構等は不要であり、表示部ユニット１３９を設けたことで電子カセッテ２２の取扱性や可搬性が低下することを回避できる。また、電子カセッテ２２の筐体７０に対し、被写体としての患者が図５に破線で示す位置に位置している等の場合にも、表示部１４０の表示面を収納ケース１４１外（筐体７０外）に展開させることで、表示部１４０の表示面が患者の体と接している状態となったり、患者の体によって表示部１４０の表示面が隠れている状態となることを防止することができ、表示部１４０に表示された放射線画像等の情報を撮影者が確実に視認することができる。
【０１０７】
〔第４実施形態〕
次に本発明の第４実施形態について説明する。なお、第１実施形態〜第３実施形態と同一の部分には同一の符号を付し、説明を省略する。
【０１０８】
図１０には本第４実施形態に係る電子カセッテ２２（の一部）が示されている。図１０(Ｂ),(Ｃ)に示すように、本第４実施形態に係る電子カセッテ２２は、筐体７０のうち被照射面７２と隣接する側面に表示部ユニット１４５が取付けられている。表示部ユニット１４５は、可撓性を有する長尺のシート状の表示部１４６と、表示部１４６は長手方向の一端部が取付けられた巻取軸１４８と、表示部１４６の全量が巻取軸１４８に巻き取られた状態での表示部１４６及び巻取軸１４８を収納可能な収納スペース（収納部１５０）が内部に形成された収納ケース１４７と、を含んで構成されている。なお、表示部１４６としては電子ペーパが好適である。巻取軸１４８は収納ケース１４７の収納部１５０内に配置されており、回転可能に収納ケース１４７に支持されている。図示は省略するが、収納ケース１４７の収納部１５０内には、付勢手段の付勢力によって表示部１４６を巻き取る方向へ巻取軸１４８を回転させる回転機構と、巻取軸１４８から表示部１４６の全量が引き出されると回転機構による巻取軸１４８の回転を阻止する状態となり、この状態から表示部１４６を介して巻取軸１４８が更に引張られると、巻取軸１４８の回転を阻止する状態が解除されるラッチ機構が設けられている。
【０１０９】
また、表示部１４６のうち巻取軸１４８に取付けられている側と反対側の端部には、断面が矩形状でかつ長尺状の保護部材１５２が取付けられており、保護部材１５２には、その側面の２箇所に把持部１５４が取付けられている。保護部材１５２は、把持部１５４が把持され、回転機構による回転力に抗して巻取軸１４８から表示部１４６を引き出す方向に把持部１５４が引張られた際に、把持部１５４に加わった引張力を表示部１４６へ均一に伝達することで表示部１４６の破損等を防止する機能を有している。また、収納ケース１４７のうち筐体７０に取付けられている側面と反対側の側面には、取っ手部１２４が取付けられていると共に、開口１２６が設けられている。また、収納ケース１４７の収納部１５０内の開口１２６に対応する箇所には、回転機構の回転力により保護部材１５２が図１０(Ａ)に示す位置から更に収納部１５０内へ入り込むことを阻止するためのストッパ（図示省略）が設けられている。
【０１１０】
本第４実施形態に係る表示部１４６は、把持部１５４が把持され、回転機構による回転力に抗して、表示部１４６を収納ケース１４７の収納部１５０内から引き出す方向（図１０の矢印Ｄ方向）へ引張る展開操作が行われて、巻取軸１４８から表示部１４６の全量が引き出され、回転機構による巻取軸１４８の回転がラッチ機構によって阻止される状態となることで、収納ケース１４７外（筐体７０外）のうち取っ手部１２４が設けられている側へ展開し、表示部１４６の大部分が筐体７０外に露出している状態(図１０(Ｃ)に示す状態) となる。また、この状態から把持部１５４、保護部材１５２及び表示部１４６を介して巻取軸１４８を更に引張る収納操作が行われると、ラッチ機構による巻取軸１４８の回転阻止状態が解除され、表示部１４６を巻き取る方向へ回転機構によって巻取軸１４８が回転されることで、表示部１４６が巻取軸１４８に巻き取られて収納ケース１４７の収納部１５０内に収納された状態（図１０(Ａ)参照）となる。このように、本第４実施形態に係る表示部ユニット１４５についても、収納ケース１４７の収納部１５０内への表示部１４６の収納が可能で、かつ収納部１５０内から引き出された表示部１４６が取っ手部１２４が設けられている側へ展開する向きで筐体７０に取付けられている。
【０１１１】
なお、表示部ユニット１４５は本発明に係る表示部ユニット（より詳しくは請求項２,３,９に記載の表示部ユニット）に対応している。また、本第４実施形態では鉛シート１３０が省略されており、放射線のバック散乱の吸収低減の機能は鉛シート７８によって実現される。
【０１１２】
次に本第４実施形態の作用を説明する。本第４実施形態に係る電子カセッテ２２についても、表示部ユニット１４５を筐体７０に取付けることで、放射線画像等の情報を表示部１４６に表示可能な構成を実現しており、表示部ユニット１４５を取付ける電子カセッテ本体としては、既存の電子カセッテを用いることができ、筐体７０の形状等の変更は不要である。従って、本第４実施形態に係る電子カセッテ２２についても、既存の電子カセッテに対して最小限の構成変更(筐体７０への表示部ユニット１４５の取付け等)で実現することができる。
【０１１３】
また、本第４実施形態に係る電子カセッテ２２は、表示部１４６を収納ケース１４７の収納部１５０内に収納可能であるので、電子カセッテ２２を位置５８又は位置６０へ移動・位置決めする際や、他の撮影室や手術室、或いは放射線画像撮影装置を搭載した車両での放射線撮影に用いるために電子カセッテ２２を放射線撮影室４２から持ち出す際には、前述の収納操作を行って表示部１４６を収納ケース１４７の収納部１５０内に収納しておくことで、表示部１４６が電子カセッテ２２の移動の障害となることを防止することができる。
【０１１４】
また、第４実施形態に係る電子カセッテ２２は、表示部１４６を収納ケース１４７の収納部１５０内から引き出す方向へ引張る展開操作を行うことで、表示部１４６を収納ケース１４７外（筐体７０外）へ展開させることができるので、表示部１４６を筐体７０外へ展開させる展開操作を容易に行うことができ、取扱性も良好である。また、前述の展開操作を行った場合、表示部１４６は、筐体７０外のうち取っ手部１２４が設けられている側の外側の空間へ展開されるが、電子カセッテ２２の移動や位置調整は取っ手部１２４を把持して行われるので、上記空間は通常、他の物体が存在しない空間であり、他の物体の干渉によって表示部１４６を展開させることが困難となることを防止することができる。
【０１１５】
また、第４実施形態に係る電子カセッテ２２は、表示部１４６の一端部が取付けられた巻取軸１４８が収納ケース１４７に回転可能に支持されており、表示部１４６が収納ケース１４７（筐体７０）と分離することのないように収納ケース１４７に取付けられていると共に、表示部１４６の全量が巻取軸１４８から引き出されると、回転機構による巻取軸１４８の回転がラッチ機構によって阻止される。これにより、電子カセッテ２２を所望の位置へ移動・位置決めした後に、前述の展開操作によって表示部１４６の全量を巻取軸１４８から引き出し、表示部１４６を筐体７０外へ展開させた場合、表示部１４６は可撓性を有しているため、表示部１４６が電子カセッテ２２の筐体７０から垂れ下がっている状態にはなるものの、その状態でも表示部１４６の表示面に表示された画像等の情報の確認は可能である。従って、表示部１４６を支持する支持機構等は不要であり、表示部ユニット１４５を設けたことで電子カセッテ２２の取扱性や可搬性が低下することを回避することができる。
【０１１６】
また、電子カセッテ２２の筐体７０に対し、被写体としての患者が図５に破線で示す位置に位置している等の場合にも、表示部１４６を収納ケース１４７外（筐体７０外）に展開させることで、表示部１４６の表示面が患者の体と接している状態となったり、患者の体によって表示部１４６の表示面が隠れている状態となることを防止することができ、表示部１４６に表示された放射線画像等の情報を撮影者が確実に視認することができる。
【０１１７】
〔第５実施形態〕
次に本発明の第５実施形態について説明する。なお、第１実施形態〜第４実施形態と同一の部分には同一の符号を付し、説明を省略する。
【０１１８】
図１１,１２には本第５実施形態に係る電子カセッテ２２（の一部）が示されている。図１２に示すように、本第５実施形態に係る電子カセッテ２２は、第１〜第３実施形態と同様に、筐体７０のうち被照射面７２と反対側の面（背面）に表示部ユニット１５９が取付けられている。図１１に示すように、表示部ユニット１５９は、表示部１６０と、側面に取っ手部１２４が取付けられた収納ケース１６１を含んで構成されている。
【０１１９】
図１１ (Ｃ)に示すように、本第５実施形態に係る表示部１６０は、各々平板状でＬＣＤ等の表示デバイスから成る複数の部分表示部１６２が、およそ面一となるように展開可能で、かつ折り畳み可能に連結されて構成されている。図１３にも示すように、個々の部分表示部１６２は、対向する第１及び第２の辺が第１の方向と平行で、かつ対向する第３及び第４の辺が第１の方向と直交する第２の方向に対して所定角度傾斜された四辺形状とされており、表示部１６０は、個々の部分表示部の第１の辺が他の部分表示部の第２の辺と連結され、第３の辺が他の部分表示部の第４の辺と連結されるように、複数の部分表示部１６２がマトリクス状に配列・連結されて構成されている。
【０１２０】
なお、図示は省略するが、個々の部分表示部１６２の間はヒンジによって連結されている。このヒンジとしては、開閉角度が０°(全閉)〜１８０°(全開)とされ１８０°を越えて回動することを阻止する回動阻止部が設けられたヒンジが用いられている。上述した個々の部分表示部１６２の形状・配置は、単一の表示部１６０の表示面を、所謂ミウラ折りに倣って複数の部分表示部１６２に分割したことに相当し、個々の部分表示部１６２はミウラ折り状に折り畳まれるが、上記のヒンジは、複数の部分表示部１６２がミウラ折り状に折り畳まれる際に、個々の部分表示部１６２の間が山折りに回動されるか谷折りに回動されるかに応じた向きで、個々の部分表示部１６２の間に取付けられている。これにより、表示部１６０は、複数の部分表示部１６２がおよそ面一となるように展開されると、個々のヒンジが１８０°を越えて回動することが阻止されていることで、複数の部分表示部１６２がおよそ面一となっている状態(図１１(Ｃ)に示す状態)で維持される。
【０１２１】
また、図示は省略するが、個々の部分表示部１６２の間は可撓性を有する電気配線によって各々接続されており、表示部１６０は、この電気配線を介して伝送される信号により、複数の部分表示部１６２がおよそ面一となるように展開された状態で、表示部１６０のほぼ全面に画像等の情報を表示することが可能とされている。また、図１１,１３では３×３で合計９個の部分表示部１６２を連結した構成の表示部１６０を示しているが、表示部はより多数個の部分表示部を連結した構成であってもよい。
【０１２２】
前述のように、本第５実施形態に係る表示部１６０は、単一の表示部１６０の表示面をミウラ折りに倣って複数の部分表示部１６２に分割した構成であり、個々の部分表示部１６２の形状が非長方形であるので、部分表示部１６２専用の表示デバイスを開発・製造せざるを得ないという欠点はあるものの、マトリクス状に配列・連結された複数の部分表示部１６２の展開を、単一かつ特定の部分表示部１６２（複数の部分表示部１６２が折り畳まれた状態（図１１(Ａ),(Ｂ)に示す状態）で最上層に位置する部分表示部１６２）に一定方向の力（図１１(Ｂ)に示す矢印Ｍ方向への引張り力）を加える展開操作を行うのみで実現できると共に、およそ面一となるように展開された状態の複数の部分表示部１６２の折り畳みについても、前記特定の部分表示部１６２に一定方向の力（図１１(Ｃ)に示す矢印Ｎ方向への引張り力）を加える折り畳み操作を行うのみで実現でき、複数の部分表示部１６２の展開・折り畳みを容易に行うことができる。本第５実施形態では、上記の特定の部分表示部１６２の角部に把持部１６４が取付けられている。
【０１２３】
また、収納ケース１６１には、取っ手部１２４が取付けられている側面と、当該側面に隣接する側面との角部に、複数の部分表示部１６２が折り畳まれた状態の表示部１６０を収納可能な形状・大きさで、収納ケース１６１外に開口している収納部１６６が設けられている。収納部１６６内の角部には、被照射面７２に直交する方向に沿って延びる回転軸１６８が立設しており、回転軸１６８は回転部材１７０の略中央に設けられた円孔を貫通しており、回転部材１７０は、表示部１６０の複数の部分表示部１６２のうち、複数の部分表示部１６２が折り畳まれた状態で最下層に位置する部分表示部１６２の角部付近に取付けられている。
【０１２４】
これにより、表示部１６０は、複数の部分表示部１６２が折り畳まれているか展開されているかに拘わらず、回転軸１６８を中心として回動可能とされている（複数の部分表示部１６２が折り畳まれている状態での表示部１６０の回動を図１１(Ａ),(Ｂ)に示し、複数の部分表示部１６２が展開されている状態での表示部１６０の回動を図１３(Ａ)〜(Ｃ)に示す）。表示部１６０は、複数の部分表示部１６２が折り畳まれている状態で、回転軸１６８を中心として図１１(Ａ)の矢印Ｊ方向へ回動させる操作（引き出し操作）が行われることで、図１１(Ｂ)に示すように収納ケース１６１の収納部１６６内から引き出され、回転軸１６８を中心として図１１(Ｂ)の矢印Ｋ方向へ回動させる操作（収納操作）が行われることで、図１１(Ａ)に示すように収納ケース１６１の収納部１６６内に収納される。また表示部１６０は、複数の部分表示部１６２がおよそ面一となるように展開されている状態では、回転軸１６８を中心とする回動に伴い、図１３(Ａ)に示すように、表示部１６０が筐体７０外のうち、取っ手部１２４が設けられている側の外側の空間に位置している状態や、図１３(Ｃ)に示すように、表示部１６０が筐体７０外のうち、取っ手部１２４が設けられている側と隣り合う側面の外側の空間に位置している状態、或いは図１３(Ｂ)に示すようにその中間の状態をとり得る。このように、本第５実施形態に係る表示部ユニット１５９についても、収納ケース１６１の収納部１６６への表示部１６０の収納が可能で、かつ収納部１６６から引き出された表示部１６０が取っ手部１２４が設けられている側へ展開可能な向きで筐体７０に取付けられている。
【０１２５】
また、表示部１６０の複数の部分表示部１６２のうち、複数の部分表示部１６２が折り畳まれた状態で最下層に位置する部分表示部１６２には、複数の部分表示部１６２が折り畳まれ、かつ表示部１６０が収納部１６６内に収納されている状態で、筐体７０外へ露出する側の側面に把持部１７２が取付けられている。この把持部１７２を把持することで、収納部１６６内に収納されている表示部１６０の引き出しを容易に行うことができる。
【０１２６】
なお、表示部ユニット１５９は本発明に係る表示部ユニット（より詳しくは請求項２,３,１０〜１２に記載の表示部ユニット）に対応しており、取っ手部１２４は請求項２に記載の取っ手部に、把持部１６４は請求項３に記載の把持部に各々対応している。
【０１２７】
次に本第５実施形態の作用を説明する。本第５実施形態に係る電子カセッテ２２についても、表示部ユニット１５９を筐体７０に取付けることで、放射線画像等の情報を表示部１６０に表示可能な構成を実現しており、表示部ユニット１５９を取付ける電子カセッテ本体としては、既存の電子カセッテを用いることができ、筐体７０の形状等の変更は不要である。従って、本第５実施形態に係る電子カセッテ２２についても、既存の電子カセッテに対して最小限の構成変更(筐体７０への表示部ユニット１５９の取付け等)で実現することができる。
【０１２８】
また、第５実施形態に係る電子カセッテ２２は、表示部１６０を収納ケース１６１の収納部１６６内に収納可能であるので、電子カセッテ２２を位置５８又は位置６０へ移動・位置決めする際や、他の撮影室や手術室、或いは放射線画像撮影装置を搭載した車両での放射線撮影に用いるために電子カセッテ２２を放射線撮影室４２から持ち出す際には、前述の折り畳み操作、収納操作を順に行って表示部１６０を収納ケース１６１の収納部１６６内に収納しておくことで、表示部１６０が電子カセッテ２２の移動の障害となることを防止することができる。
【０１２９】
また、第５実施形態に係る電子カセッテ２２は、表示部１６０を収納ケース１６１の収納部１６６内から引き出す引き出し操作、複数の部分表示部１６２をおよそ面一となるように展開させる展開操作を順に行うことで、表示部１６０の表示面を収納ケース１６１外（筐体７０外）へ展開させることができるので、表示部１６０の表示面を筐体７０外へ展開させる展開操作を容易に行うことができ、取扱性も良好である。また、本第５実施形態では、前述の引き出し操作時に（前述の展開操作を行う前に）、複数の部分表示部１６２が折り畳まれた状態の表示部１６０の位置（回転軸１６８の軸回りの位置）を調整しておくことで、表示部１６０（の表示面）を、筐体７０外のうち取っ手部１２４が設けられている側面の外側の空間へ展開させる（図１３(Ａ)や図１３(Ｂ)に示す位置へ展開させる）ことが可能であるが、電子カセッテ２２の移動や位置調整は取っ手部１２４を把持して行われるので、上記空間は通常、他の物体が存在しない空間であり、他の物体の干渉によって表示部１６０の表示面を展開させることが困難となることを防止することができる。
【０１３０】
また、第５実施形態に係る電子カセッテ２２は、表示部１６０を構成する特定の部分表示部１６２が、回転部材１７０、回転軸１６８を介して収納ケース１６１に支持されており、表示部１６０が収納ケース１６１（筐体７０）と分離することのないように収納ケース１６１に取付けられているので、電子カセッテ２２を所望の位置へ移動・位置決めした後に、前述の引き出し操作によって表示部１６０が収納部１６６から引き出され、前述の展開操作によって複数の部分表示部１６２がおよそ面一となるように展開された状態でも、表示部１６０が収納ケース１６１を介して筐体７０に支持され、筐体７０に対して図１１(Ｃ)や図１３(Ａ)〜(Ｃ)に示す位置関係で維持されると共に、表示部１６０自体も複数の部分表示部１６２がおよそ面一となっている状態で維持される。従って、表示部１６０を支持する支持機構等は不要であり、表示部１６０を設けたことで電子カセッテ２２の取扱性や可搬性が低下することを回避できる。
【０１３１】
また、電子カセッテ２２の筐体７０に対し、被写体としての患者が図５に破線で示す位置に位置している等の場合にも、表示部１６０の表示面を筐体７０外に展開させることで、表示部１６０の表示面が患者の体と接している状態となったり、患者の体によって表示部１６０の表示面が隠れている状態となることを防止することができ、表示部１６０に表示された放射線画像等の情報を撮影者が確実に視認することができる。更に、表示部１６０は、複数の部分表示部１６２がおよそ面一となるように展開されている状態でも図１３(Ａ)〜(Ｃ)に示すように回動可能であるので、電子カセッテ２２の配置位置や姿勢等に応じて、表示部１６０の表示面に表示された情報がより視認し易い位置へ表示部１６０を回動させることも可能となる。
【０１３２】
なお、第５実施形態では、ミウラ折り状に折り畳み可能な表示部１６０を説明したが、これに代えて蛇腹状に折り畳み可能な表示部を設けてもよい。
【０１３３】
また、上記では過去に撮影され今回の撮影に関連する放射線画像として、過去に撮影され、今回の撮影と患者が同一かつ撮影部位が同一の放射線画像を表示部に表示させる態様を説明したが、これに限られるものではなく、過去に撮影され今回の撮影と撮影部位が同一の放射線画像を、過去に撮影され今回の撮影に関連する放射線画像として表示部に表示させるようにしてもよい。
【０１３４】
また、上記では過去に撮影した関連する放射線画像のデータを、コンソール２６経由でＲＩＳサーバ１４から取得する態様を説明したが、これに限定されるものではなく、過去に撮影した放射線画像のデータを電子カセッテ２２の画像メモリ１０４に記憶しておき、放射線画像の撮影を行う際に、画像メモリ１０４に記憶されている放射線画像のデータの中から関連する放射線画像のデータを検索・抽出して表示部に表示させるようにしてもよい。
【０１３５】
また、過去に撮影した関連する放射線画像を表示部１２０等に表示させることは必須の処理ではなく、撮影者が指示した場合にのみ上記放射線画像を表示部１２０に表示させるようにしてもよいし、上記放射線画像を表示部１２０等に表示させる機能を省略し、今回撮影した放射線画像のみを表示部１２０に表示させるようにしてもよい。
【０１３６】
また、上記では表示部が、電子カセッテ２２の筐体７０外のうち取っ手部１２４が設けられている特定の側面の外側の空間へ展開される態様を説明したが、本発明はこれに限定されるものではなく、請求項１記載の発明は、表示部が電子カセッテ２２の筐体７０外のうち特定の側面以外の面の外側の空間へ展開する態様も権利範囲に含んでいる。
【図面の簡単な説明】
【０１３７】
【図１】本実施形態に係る放射線情報システムの概略構成を示すブロック図である。
【図２】放射線画像撮影システムの概略構成を示すブロック図である。
【図３】撮影室内における放射線発生装置や電子カセッテの配置の一例を示す概略図である。
【図４】第１実施形態に係る電子カセッテの内部構造を示す斜視図である。
【図５】第１実施形態に係る電子カセッテの内部構造を示す側面図である。
【図６】第１実施形態に係る電子カセッテの表示部の収納・展開を示す斜視図である。
【図７】電子カセッテのカセッテ制御部で行われる情報表示処理の内容の一例を示すフローチャートである。
【図８】第２実施形態に係る電子カセッテの表示部の収納・展開を示す斜視図である。
【図９】第３実施形態に係る電子カセッテの表示部の収納・展開を示す斜視図である。
【図１０】第４実施形態に係る電子カセッテの表示部の収納・展開を示す斜視図である。
【図１１】第５実施形態に係る電子カセッテの表示部の収納・展開を示す斜視図である。
【図１２】第５実施形態に係る電子カセッテの内部構造を示す側面図である。
【図１３】第５実施形態に係る電子カセッテにおいて、展開している状態での表示部の回動を示す平面図である。
【符号の説明】
【０１３８】
１０  放射線情報システム
１８  放射線画像撮影システム
２０  放射線発生装置
２２  電子カセッテ
２６  コンソール
７０  筐体
７６  放射線検出器
１０４  画像メモリ
１０６  カセッテ制御部
１０８  入力部
１１９  表示部ユニット
１２０  表示部
１２１  収納ケース
１２２  収納部
１２４  取っ手部
１３３  表示部ユニット
１３４  表示部
１３５  収納ケース
１３９  表示部ユニット
１４０  表示部
１４１  収納ケース
１４５  表示部ユニット
１４６  表示部
１４７  収納ケース
１４８  巻取軸
１５０  収納部
１５９  表示部ユニット
１６０  表示部
１６１  収納ケース
１６２  部分表示部
１６６  収納部
【図１】
2010054974.tif 000003
【図２】
2010054974.tif 000004
【図３】
2010054974.tif 000005
【図４】
2010054974.tif 000006
【図５】
2010054974.tif 000007
【図６】
2010054974.tif 000008
【図７】
2010054974.tif 000009
【図８】
2010054974.tif 000010
【図９】
2010054974.tif 000011
【図１０】
2010054974.tif 000012
【図１１】
2010054974.tif 000013
【図１２】
2010054974.tif 000014
【図１３】
2010054974.tif 000015